(57)【特許請求の範囲】
【請求項１】
無線端末装置が移動動作を行なうことにより複数の無線基地局装置と通信可能な通信システムにおける隣接セル処理装置であって、
前記無線端末装置の移動動作履歴を示す移動情報を前記無線端末装置および前記無線基地局装置の少なくとも一方からの情報に基づいて取得するための移動情報取得部と、
前記移動情報取得部によって取得された前記移動情報に基づいて、対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置または前記対象無線基地局装置と通信可能な無線端末装置へ送信するための隣接セル情報送信部とを備え、
前記隣接セル情報生成部は、前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置の前記移動情報および登録されていない前記無線端末装置の前記移動情報について、登録された前記無線端末装置および登録されていない前記無線端末装置の別に応じた重み付けを行い、重み付けした結果に基づいて前記隣接セル情報を生成する、隣接セル処理装置。
【請求項２】
無線端末装置が移動動作を行なうことにより複数の無線基地局装置と通信可能な通信システムにおける隣接セル処理装置であって、
前記無線端末装置の移動動作履歴を示す移動情報を前記無線端末装置および前記無線基地局装置の少なくとも一方からの情報に基づいて取得するための移動情報取得部と、
前記移動情報取得部によって取得された前記移動情報に基づいて、対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置または前記対象無線基地局装置と通信可能な無線端末装置へ送信するための隣接セル情報送信部とを備え、
前記隣接セル情報生成部は、前記移動情報取得部によって取得された前記移動情報に基づいて、対象の前記無線基地局装置以外の複数の前記無線基地局装置を順位付けし、順位付けの結果に基づいた隣接セル情報を生成し、
前記隣接セル情報生成部は、前記対象無線基地局装置と通信する無線端末装置が、対象の前記無線基地局装置以外の前記無線基地局装置から送信される無線信号の受信レベルを複数の周波数において測定した結果に基づいて、前記隣接セル情報の初期情報を生成し、
前記隣接セル処理装置は、さらに、
前記対象無線基地局装置が、前記無線端末装置を登録することが可能であり、登録された前記無線端末装置および登録されていない前記無線端末装置の両方に対して通信を許可するハイブリッドモードで動作する場合には、登録されていない前記無線端末装置に対して選択的に、対象の前記無線基地局装置以外の前記無線基地局装置から送信される無線信号の受信レベルを前記複数の周波数において測定することを指示するための電力測定指示部を備える、隣接セル処理装置。
【請求項３】
無線端末装置が移動動作を行なうことにより複数の無線基地局装置と通信可能な通信システムにおける隣接セル処理装置であって、
前記無線端末装置の移動動作履歴を示す移動情報を前記無線端末装置および前記無線基地局装置の少なくとも一方からの情報に基づいて取得するための移動情報取得部と、
前記移動情報取得部によって取得された前記移動情報に基づいて、対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置または前記対象無線基地局装置と通信可能な無線端末装置へ送信するための隣接セル情報送信部とを備え、
前記隣接セル情報生成部は、前記移動情報取得部によって取得された前記移動情報に基づいて、対象の前記無線基地局装置以外の複数の前記無線基地局装置を順位付けし、順位付けの結果に基づいた隣接セル情報を生成し、
前記隣接セル情報生成部は、前記対象無線基地局装置と通信する無線端末装置が、対象の前記無線基地局装置以外の前記無線基地局装置から送信される無線信号の受信レベルを複数の周波数において測定した結果に基づいて、前記隣接セル情報の初期情報を生成し、
前記隣接セル処理装置は、さらに、
前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置に対して選択的に、対象の前記無線基地局装置以外の前記無線基地局装置から送信される無線信号の受信レベルを前記複数の周波数において測定することを指示するための電力測定指示部を備える、隣接セル処理装置。
【請求項４】
前記隣接セル情報生成部は、前記移動情報取得部によって取得された前記移動情報に基づいて、対象の前記無線基地局装置以外の複数の前記無線基地局装置を順位付けし、順位付けの結果に基づいた隣接セル情報を生成する、請求項１に記載の隣接セル処理装置。
【請求項５】
前記隣接セル情報生成部は、順位付けした複数の前記無線基地局装置のうち、上位からＮ個（Ｎは１以上の整数）の前記無線基地局装置を示す隣接セル情報を生成する、請求項２から４のいずれか１項に記載の隣接セル処理装置。
【請求項６】
前記隣接セル情報生成部は、順位付けした前記無線基地局装置の順位をさらに示す隣接セル情報を生成する、請求項４または５に記載の隣接セル処理装置。
【請求項７】
前記隣接セル情報生成部は、対象の前記無線基地局装置以外の複数の前記無線基地局装置のうち、前記対象無線基地局装置と通信する無線端末装置の移動先候補となる１または複数の前記無線基地局装置を示す隣接セル情報を生成する、請求項１から６のいずれか１項に記載の隣接セル処理装置。
【請求項８】
前記隣接セル情報生成部は、対象の前記無線基地局装置以外の複数の前記無線基地局装置のうち、前記無線端末装置の測定対象となる１または複数の前記無線基地局装置を示す隣接セル情報を生成する、請求項１から７のいずれか１項に記載の隣接セル処理装置。
【請求項９】
前記隣接セル情報生成部は、対象の前記無線基地局装置以外の複数の前記無線基地局装置のうち、前記無線端末装置が受信レベルを測定する対象となる無線信号を送信する１または複数の前記無線基地局装置を示す隣接セル情報を生成する、請求項１から８のいずれか１項に記載の隣接セル処理装置。
【請求項１０】
前記隣接セル情報生成部は、対象の前記無線基地局装置以外の複数の前記無線基地局装置のうち、前記対象無線基地局装置と通信中でない前記無線端末装置が受信レベルを測定する対象となる無線信号を送信する１または複数の前記無線基地局装置を示す隣接セル情報を生成する、請求項９に記載の隣接セル処理装置。
【請求項１１】
前記隣接セル情報生成部は、前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置の前記移動情報および登録されていない前記無線端末装置の前記移動情報について、登録された前記無線端末装置および登録されていない前記無線端末装置の別に応じた重み付けを行い、重み付けした結果に基づいて前記隣接セル情報を生成する、請求項２、３および５から１０のいずれか１項に記載の隣接セル処理装置。
【請求項１２】
前記通信システムにおける前記複数の無線基地局装置のうちの少なくともいずれかはフェムト基地局である、請求項１から１１のいずれか１項に記載の隣接セル処理装置。
【請求項１３】
前記移動情報取得部は、前記対象無線基地局装置と前記対象無線基地局装置以外の複数の前記無線基地局装置の各々との間における無線端末装置の移動回数を示す移動情報を取得する、請求項１から１２のいずれか１項に記載の隣接セル処理装置。
【請求項１４】
前記移動情報取得部は、前記対象無線基地局装置から前記対象無線基地局装置以外の複数の前記無線基地局装置への無線端末装置の移動回数、および前記対象無線基地局装置以外の複数の前記無線基地局装置から前記対象無線基地局装置への無線端末装置の移動回数を示す移動情報を取得する、請求項１３に記載の隣接セル処理装置。
【請求項１５】
前記隣接セル情報生成部は、前記対象無線基地局装置以外の複数の前記無線基地局装置の中から、前記移動情報の示す前記移動回数が所定値以下となる前記無線基地局装置を少なくとも除いた前記隣接セル情報を生成する、請求項１３または１４に記載の隣接セル処理装置。
【請求項１６】
前記隣接セル情報生成部は、前記移動情報取得部によって取得された前記移動情報に基づいて、対象の前記無線基地局装置以外の複数の前記無線基地局装置を順位付けし、前記順位付けにおいて、前記移動情報の示す前記移動回数が多い前記無線基地局装置の順位を、前記移動回数が少ない前記無線基地局装置よりも上げる、請求項１３から１５のいずれか１項に記載の隣接セル処理装置。
【請求項１７】
前記移動情報取得部は、前記対象無線基地局装置と前記対象無線基地局装置以外の複数の前記無線基地局装置の各々との間における無線端末装置の移動動作の成功率を示す移動情報を取得する、請求項１から１６のいずれか１項に記載の隣接セル処理装置。
【請求項１８】
前記移動情報取得部は、前記対象無線基地局装置から前記対象無線基地局装置以外の複数の前記無線基地局装置への無線端末装置の移動動作の成功率、および前記対象無線基地局装置以外の複数の前記無線基地局装置から前記対象無線基地局装置への無線端末装置の移動動作の成功率を示す移動情報を取得する、請求項１７に記載の隣接セル処理装置。
【請求項１９】
前記隣接セル情報生成部は、前記対象無線基地局装置以外の複数の前記無線基地局装置の中から、前記移動情報の示す前記移動動作の成功率が所定値以下となる前記無線基地局装置を少なくとも除いた前記隣接セル情報を生成する、請求項１７または１８に記載の隣接セル処理装置。
【請求項２０】
前記隣接セル情報生成部は、前記移動情報取得部によって取得された前記移動情報に基づいて、対象の前記無線基地局装置以外の複数の前記無線基地局装置を順位付けし、前記順位付けにおいて、前記移動情報の示す前記移動動作の成功率が大きい前記無線基地局装置の順位を、前記移動動作の成功率が小さい前記無線基地局装置よりも上げる、請求項１７から１９のいずれか１項に記載の隣接セル処理装置。
【請求項２１】
請求項１から２０のいずれか１項に記載の隣接セル処理装置を備える無線基地局装置。
【請求項２２】
無線端末装置が移動動作を行なうことにより複数の無線基地局装置と通信可能な通信システムにおける隣接セル処理方法であって、
前記無線端末装置の移動動作履歴を示す移動情報を前記無線端末装置および前記無線基地局装置の少なくとも一方からの情報に基づいて取得するステップと、
取得された前記移動情報に基づいて、対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置または前記対象無線基地局装置と通信可能な無線端末装置へ送信するステップとを含み、
前記隣接セル情報を生成するステップにおいては、前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置の前記移動情報および登録されていない前記無線端末装置の前記移動情報について、登録された前記無線端末装置および登録されていない前記無線端末装置の別に応じた重み付けを行い、重み付けした結果に基づいて前記隣接セル情報を生成する、隣接セル処理方法。
【請求項２３】
無線端末装置が移動動作を行なうことにより複数の無線基地局装置と通信可能な通信システムにおける隣接セル処理方法であって、
前記無線端末装置の移動動作履歴を示す移動情報を前記無線端末装置および前記無線基地局装置の少なくとも一方からの情報に基づいて取得するステップと、
取得された前記移動情報に基づいて、対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置または前記対象無線基地局装置と通信可能な無線端末装置へ送信するステップとを含み、
前記隣接セル情報を生成するステップにおいては、取得された前記移動情報に基づいて、対象の前記無線基地局装置以外の複数の前記無線基地局装置を順位付けし、順位付けの結果に基づいた隣接セル情報を生成し、
さらに、対象の前記無線基地局装置以外の前記無線基地局装置から送信される無線信号の受信レベルを前記対象無線基地局装置と通信する無線端末装置が複数の周波数において測定した結果に基づいて、前記隣接セル情報の初期情報を生成するステップと、
前記対象無線基地局装置が、前記無線端末装置を登録することが可能であり、登録された前記無線端末装置および登録されていない前記無線端末装置の両方に対して通信を許可するハイブリッドモードで動作する場合には、登録されていない前記無線端末装置に対して選択的に、対象の前記無線基地局装置以外の前記無線基地局装置から送信される無線信号の受信レベルを前記複数の周波数において測定することを指示するステップとを含む、隣接セル処理方法。
【請求項２４】
無線端末装置が移動動作を行なうことにより複数の無線基地局装置と通信可能な通信システムにおける隣接セル処理方法であって、
前記無線端末装置の移動動作履歴を示す移動情報を前記無線端末装置および前記無線基地局装置の少なくとも一方からの情報に基づいて取得するステップと、
取得された前記移動情報に基づいて、対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置または前記対象無線基地局装置と通信可能な無線端末装置へ送信するステップとを含み、
前記隣接セル情報を生成するステップにおいては、取得された前記移動情報に基づいて、対象の前記無線基地局装置以外の複数の前記無線基地局装置を順位付けし、順位付けの結果に基づいた隣接セル情報を生成し、
さらに、対象の前記無線基地局装置以外の前記無線基地局装置から送信される無線信号の受信レベルを前記対象無線基地局装置と通信する無線端末装置が複数の周波数において測定した結果に基づいて、前記隣接セル情報の初期情報を生成するステップと、
前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置に対して選択的に、対象の前記無線基地局装置以外の前記無線基地局装置から送信される無線信号の受信レベルを前記複数の周波数において測定することを指示するステップとを含む、隣接セル処理方法。
【発明の詳細な説明】
【技術分野】
【０００１】
本発明は、隣接セル処理装置、無線基地局装置および隣接セル処理方法に関し、特に、無線端末装置が移動動作を行なうことにより複数の無線基地局装置と通信可能な通信システムにおける隣接セル処理装置、無線基地局装置および隣接セル処理方法に関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な宅内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
このような構成において、フェムト基地局を設置する際に１つ１つのフェムト基地局の設定を事業者またはフェムト基地局の購入者が行なっていくと、相当な作業と費用を要する。また、新たにフェムト基地局が設置されてフェムト基地局が増加するたびに、新たに設置されたフェムト基地局だけでなく、既存の周辺のフェムト基地局の再設定も行なわなければならなくなる。
【０００８】
このような問題点を解決するための構成として、たとえば、特許文献１には、以下のような技術が開示されている。すなわち、新たなセルは、既存のセルによって用いられている様々な異なるチャネルの信号強度を測定する。新たなセルは、大きな信号強度を持つチャネルに対応する候補チャネルのリストを作成し、このリストをセルラシステムの移動体交換センタに送信する。移動体交換センタは、どの候補チャネルが既存のセル内で用いられているビーコンに対応するかを決定し、新たなセルに、これら既存の各セルに関する構成情報を送信する。こうして、新たなセルは、隣接セルに関する構成情報を自動的に受信する。移動体交換センタが、識別されたネーバー（隣接セル）が最大値Ｎに達してないことを決定した場合は、移動体交換センタは、新たなセルに対して、追加の候補チャネル（つまり、より低い信号強度を持つ候補チャネル）を送信することを要請する。
【先行技術文献】
【特許文献】
【０００９】
【特許文献１】特開平１１―３３１９３１号公報
【発明の概要】
【発明が解決しようとする課題】
【００１０】
フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【００１１】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、ハンドオーバ先としては向かないフェムト基地局が隣接セル情報に登録されていると、無線端末装置が無駄な測定動作を行ない、また、無駄なハンドオーバが発生してしまう。
【００１２】
この発明は、上述の課題を解決するためになされたもので、その目的は、適切な隣接セル情報を生成することにより、無線通信システムにおける動作の効率化を図ることが可能な隣接セル処理装置、無線基地局装置および隣接セル処理方法を提供することである。
【課題を解決するための手段】
【００１３】
（１）上記課題を解決するために、この発明のある局面に係わる隣接セル処理装置は、無線端末装置が移動動作を行なうことにより複数の無線基地局装置と通信可能な通信システムにおける隣接セル処理装置であって、上記無線端末装置の移動動作履歴を示す移動情報を上記無線端末装置および上記無線基地局装置の少なくとも一方からの情報に基づいて取得するための移動情報取得部と、上記移動情報取得部によって取得された上記移動情報に基づいて、対象の上記無線基地局装置以外の複数の上記無線基地局装置のうち、上記対象無線基地局装置の周辺に配置された１または複数の上記無線基地局装置を示す隣接セル情報を生成するための隣接セル情報生成部と、上記隣接セル情報生成部によって生成された上記隣接セル情報を上記対象無線基地局装置または上記対象無線基地局装置と通信可能な無線端末装置へ送信するための隣接セル情報送信部とを備える。
【００１４】
このような構成により、無線基地局装置の移動および電源のオン／オフに関わらず、隣接セル情報を自動的に最適化することができるため、人手を介すことなく、無線通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００１５】
したがって、適切な隣接セル情報を生成することにより、無線通信システムにおける動作の効率化を図ることができる。
【００１６】
（２）好ましくは、上記隣接セル情報生成部は、上記移動情報取得部によって取得された上記移動情報に基づいて、対象の上記無線基地局装置以外の複数の上記無線基地局装置を順位付けし、順位付けの結果に基づいた隣接セル情報を生成する。
【００１７】
このような構成により、詳細な隣接セル情報を生成し、無線通信システムにおける動作のさらなる効率化を図ることができる。たとえば、無線基地局装置は、順位付け結果において上位の無線基地局装置を優先的に移動先として選択することにより、移動動作の成功率を高めることができる。
【００１８】
（３）より好ましくは、上記隣接セル情報生成部は、順位付けした複数の上記無線基地局装置のうち、上位からＮ個（Ｎは１以上の整数）の上記無線基地局装置を示す隣接セル情報を生成する。
【００１９】
このような構成により、たとえば無線端末装置に通知する隣接セル情報に含めることができる無線基地局装置の数に制限がある場合において、上位Ｎ個の無線基地局装置を隣接セル情報に含めることで、適切な隣接セル情報を無線端末装置に通知することが可能となる。
【００２０】
（４）より好ましくは、上記隣接セル情報生成部は、順位付けした上記無線基地局装置の順位をさらに示す隣接セル情報を生成する。
【００２１】
このような構成により、さらに詳細な隣接セル情報を生成し、無線通信システムにおける動作のさらなる効率化を図ることができる。たとえば、無線端末装置は、隣接セル情報における無線基地局装置の順位に従い、測定順序の決定、および測定対象の無線基地局装置の絞り込み等を行い、効率的な測定動作を行なうことができる。
【００２２】
（５）好ましくは、上記隣接セル情報生成部は、対象の上記無線基地局装置以外の複数の上記無線基地局装置のうち、上記対象無線基地局装置と通信する無線端末装置の移動先候補となる１または複数の上記無線基地局装置を示す隣接セル情報を生成する。
【００２３】
このような構成により、設置された無線基地局装置のセル内における移動動作を最適な状態にすることが可能となる。また、隣接セル情報の最適化を行なうことにより、通信中の無線端末装置の移動先候補となる隣接セルの数を低減することができるため、無駄な移動動作が発生することを防ぐことができる。
【００２４】
（６）好ましくは、上記隣接セル情報生成部は、対象の上記無線基地局装置以外の複数の上記無線基地局装置のうち、上記無線端末装置の測定対象となる１または複数の上記無線基地局装置を示す隣接セル情報を生成する。
【００２５】
このように、隣接セル情報の最適化を行なうことにより、無線端末装置が測定を行なう対象となる隣接セルの数を低減することができるため、無線端末装置が無駄な測定動作を行なうことを防ぐことができる。
【００２６】
（７）好ましくは、上記隣接セル情報生成部は、対象の上記無線基地局装置以外の複数の上記無線基地局装置のうち、上記無線端末装置が受信レベルを測定する対象となる無線信号を送信する１または複数の上記無線基地局装置を示す隣接セル情報を生成する。
【００２７】
このように、隣接セル情報の最適化を行なうことにより、無線端末装置が受信レベル測定を行なう対象となる隣接セルの数を低減することができるため、無線端末装置が無駄な測定動作を行なうことを防ぐことができる。
【００２８】
（８）より好ましくは、上記隣接セル情報生成部は、対象の上記無線基地局装置以外の複数の上記無線基地局装置のうち、上記対象無線基地局装置と通信中でない上記無線端末装置が受信レベルを測定する対象となる無線信号を送信する１または複数の上記無線基地局装置を示す隣接セル情報を生成する。
【００２９】
このような構成により、無線基地局装置からの報知情報等によって指示される定期的な電力測定の対象となる隣接セルの数を低減することができるため、無線端末装置が無駄な測定動作を行なうことを防ぐことができる。特に、アイドル状態の無線端末装置の消費電力を低減することができるため、顕著な効果が得られる。
【００３０】
（９）より好ましくは、上記隣接セル情報生成部は、上記対象無線基地局装置と通信する無線端末装置が、対象の上記無線基地局装置以外の上記無線基地局装置から送信される無線信号の受信レベルを複数の周波数において測定した結果に基づいて、上記隣接セル情報の初期情報を生成する。
【００３１】
このような構成により、適切な隣接セル情報を早期に構築することが可能となり、無線通信システムにおける動作の効率化を早期に実現することができる。
【００３２】
（１０）より好ましくは、上記隣接セル処理装置は、さらに、上記対象無線基地局装置が、上記無線端末装置を登録することが可能であり、登録された上記無線端末装置および登録されていない上記無線端末装置の両方に対して通信を許可するハイブリッドモードで動作する場合には、登録されていない上記無線端末装置に対して、対象の上記無線基地局装置以外の上記無線基地局装置から送信される無線信号の受信レベルを上記複数の周波数において測定することを指示するための電力測定指示部を備える。
【００３３】
このような構成により、登録ユーザの所有する無線端末装置の電力が消費されることを防ぐことができるため、適切な通信サービスを提供することができる。
【００３４】
（１１）より好ましくは、上記隣接セル処理装置は、さらに、上記対象無線基地局装置が、上記無線端末装置を登録することが可能であり、登録された上記無線端末装置および登録されていない上記無線端末装置の両方に対して通信を許可するハイブリッドモードで動作する場合には、登録された上記無線端末装置に対して、対象の上記無線基地局装置以外の上記無線基地局装置から送信される無線信号の受信レベルを上記複数の周波数において測定することを指示するための電力測定指示部を備える。
【００３５】
このような構成により、無線端末装置を即時に充電できる環境を有していない場合が多い非登録ユーザの所有する無線端末装置の電力が消費されることを防ぐことができるため、適切な通信サービスを提供することができる。
【００３６】
（１２）好ましくは、上記隣接セル情報生成部は、上記対象無線基地局装置が、上記無線端末装置を登録することが可能であり、登録された上記無線端末装置および登録されていない上記無線端末装置の両方に対して通信を許可するハイブリッドモードで動作する場合には、登録された上記無線端末装置の上記移動情報および登録されていない上記無線端末装置の上記移動情報を重み付けし、重み付けした結果に基づいて上記隣接セル情報を生成する。
【００３７】
このような構成により、登録された無線端末装置および非登録の無線端末装置の別に応じた適切な隣接セル情報を生成することができる。
【００３８】
（１３）好ましくは、上記移動情報取得部は、現在から過去の一定期間における上記無線端末装置の移動動作履歴を示す移動情報を取得する。
【００３９】
このような構成により、たとえば電源がオフになった無線基地局装置の順位がいつまでも高いままになってしまうことを防ぐことができる。
【００４０】
（１４）好ましくは、上記通信システムにおける上記複数の無線基地局装置のうちの少なくともいずれかはフェムト基地局である。
【００４１】
このように、無線基地局装置の移動および電源のオン／オフが頻繁に起こる無線通信システムにおいて適切な隣接セル情報を生成することにより、無線通信システムにおける動作の効率化を図るという効果をより顕著に得るができる。
【００４２】
（１５）好ましくは、上記移動情報取得部は、上記対象無線基地局装置と上記対象無線基地局装置以外の複数の上記無線基地局装置の各々との間における無線端末装置の移動回数を示す移動情報を取得する。
【００４３】
このように、隣接セル情報にどの無線基地局装置を含めるか、および無線基地局装置の順位付けの判断基準として移動回数を用いることにより、適切な隣接セル情報を生成することができる。
【００４４】
（１６）より好ましくは、上記移動情報取得部は、上記対象無線基地局装置から上記対象無線基地局装置以外の複数の上記無線基地局装置への無線端末装置の移動回数、および上記対象無線基地局装置以外の複数の上記無線基地局装置から上記対象無線基地局装置への無線端末装置の移動回数を示す移動情報を取得する。
【００４５】
このように、２つの無線基地局装置間における双方向の移動回数に基づいて、隣接セル情報からの無線基地局装置の削除を判断し、また、無線基地局装置の順位付けを行なうことにより、より最適な隣接セル情報を生成することができる。
【００４６】
（１７）より好ましくは、上記隣接セル情報生成部は、上記対象無線基地局装置以外の複数の上記無線基地局装置の中から、上記移動情報の示す上記移動回数が所定値以下となる上記無線基地局装置を少なくとも除いた上記隣接セル情報を生成する。
【００４７】
このような構成により、実際に移動先として選択された実績の少ない無線基地局装置を隣接セル情報から適切に削除することができる。
【００４８】
（１８）より好ましくは、上記隣接セル情報生成部は、上記移動情報取得部によって取得された上記移動情報に基づいて、対象の上記無線基地局装置以外の複数の上記無線基地局装置を順位付けし、上記順位付けにおいて、上記移動情報の示す上記移動回数が多い上記無線基地局装置の順位を、上記移動回数が少ない上記無線基地局装置よりも上げる。
【００４９】
このような構成により、実際に移動動作が成功した実績に応じて無線基地局装置の順位付けを適切に行なうことができる。
【００５０】
（１９）より好ましくは、上記移動情報取得部は、上記対象無線基地局装置と上記対象無線基地局装置以外の複数の上記無線基地局装置の各々との間における最新の一定回数分の無線端末装置の移動動作履歴を示す移動情報を取得する。
【００５１】
このような構成により、たとえば電源がオフになった無線基地局装置の順位がいつまでも高いままになってしまうことを防ぐことができる。
【００５２】
（２０）好ましくは、上記移動情報取得部は、上記対象無線基地局装置と上記対象無線基地局装置以外の複数の上記無線基地局装置の各々との間における無線端末装置の移動動作の成功率を示す移動情報を取得する。
【００５３】
このように、隣接セル情報にどの無線基地局装置を含めるか、および無線基地局装置の順位付けの判断基準として移動動作成功率を用いることにより、適切な隣接セル情報を生成することができる。ここで、移動動作成功率は、移動完了通知数／移動要求数で求められる。
【００５４】
（２１）より好ましくは、上記移動情報取得部は、上記対象無線基地局装置から上記対象無線基地局装置以外の複数の上記無線基地局装置への無線端末装置の移動動作の成功率、および上記対象無線基地局装置以外の複数の上記無線基地局装置から上記対象無線基地局装置への無線端末装置の移動動作の成功率を示す移動情報を取得する。
【００５５】
このように、２つの無線基地局装置間における双方向の移動動作成功率に基づいて、隣接セル情報からの無線基地局装置の削除を判断し、また、無線基地局装置の順位付けを行なうことにより、より最適な隣接セル情報を生成することができる。
【００５６】
（２２）より好ましくは、上記隣接セル情報生成部は、上記対象無線基地局装置以外の複数の上記無線基地局装置の中から、上記移動情報の示す上記移動動作の成功率が所定値以下となる上記無線基地局装置を少なくとも除いた上記隣接セル情報を生成する。
【００５７】
このような構成により、実際に移動動作が成功した実績の少ない無線基地局装置を隣接セル情報から適切に削除することができる。
【００５８】
（２３）より好ましくは、上記隣接セル情報生成部は、上記移動情報取得部によって取得された上記移動情報に基づいて、対象の上記無線基地局装置以外の複数の上記無線基地局装置を順位付けし、上記順位付けにおいて、上記移動情報の示す上記移動動作の成功率が大きい上記無線基地局装置の順位を、上記移動動作の成功率が小さい上記無線基地局装置よりも上げる。
【００５９】
このような構成により、実際に移動先として選択された実績に応じて無線基地局装置の順位付けを適切に行なうことができる。
【００６０】
（２４）好ましくは、上記移動情報取得部は、上記対象無線基地局装置以外の複数の上記無線基地局装置のうちの第１の無線基地局装置および第２の無線基地局装置について、上記対象無線基地局装置および上記第２の無線基地局装置間を上記第１の無線基地局装置経由で無線端末装置が移動したときの、上記無線端末装置が上記第１の無線基地局装置へ移動してから上記対象無線基地局装置または上記第２の無線基地局装置へ移動するまでの滞在時間を示す移動情報を取得する。
【００６１】
このように、隣接セル情報にどの無線基地局装置を含めるか、および隣接セル情報における無線基地局装置の順位付けの判断基準として、移動動作時に無線端末装置が経由した無線基地局装置における無線端末装置の滞在時間を用いることにより、適切な隣接セル情報を生成することができる。
【００６２】
（２５）より好ましくは、上記隣接セル情報生成部は、上記対象無線基地局装置以外の複数の上記無線基地局装置の中から、上記移動情報の示す上記滞在時間が所定値以下となる上記第１の無線基地局装置を少なくとも除いた上記隣接セル情報を生成する。
【００６３】
このような構成により、無線端末装置が移動動作において経由する必要のない無線基地局装置を隣接セル情報から適切に削除することができる。
【００６４】
（２６）より好ましくは、上記隣接セル情報生成部は、上記移動情報取得部によって取得された上記移動情報に基づいて、対象の上記無線基地局装置以外の複数の上記無線基地局装置を順位付けし、上記順位付けにおいて、上記移動情報の示す上記滞在時間が長い上記無線基地局装置の順位を、上記滞在時間が短い上記無線基地局装置よりも上げる。
【００６５】
このような構成により、無線端末装置が移動動作において経由する必要性の高低に応じて無線基地局装置の順位付けを適切に行なうことができる。
【００６６】
（２７）より好ましくは、上記移動情報取得部は、上記対象無線基地局装置以外の複数の上記無線基地局装置のうちの第１の無線基地局装置および残りの複数の第２の無線基地局装置について、上記対象無線基地局装置と上記複数の第２の無線基地局装置の各々との間を上記第１の無線基地局装置経由で無線端末装置が移動したときの、上記無線端末装置が上記第１の無線基地局装置へ移動してから上記対象無線基地局装置および上記複数の第２の無線基地局装置へそれぞれ移動するまでの各滞在時間を示す移動情報を取得する。
【００６７】
このような構成により、無線通信システムにおける一部の無線基地局装置を移動先または移動元とする場合に移動動作の経路として必要となる第１の無線基地局装置を、隣接セル情報から誤って削除すること、および隣接セル情報において誤って下位にしてしまうことを防ぐことができる。
【００６８】
（２８）より好ましくは、上記隣接セル情報生成部は、上記対象無線基地局装置以外の複数の上記無線基地局装置の中から、上記複数の第２の無線基地局装置のすべてについて上記移動情報の示す上記滞在時間が所定値以下となる上記第１の無線基地局装置を少なくとも除いた上記隣接セル情報を生成する。
【００６９】
このような構成により、無線通信システムにおける一部の無線基地局装置を移動先または移動元とする場合に移動動作の経路として必要となる第１の無線基地局装置を、隣接セル情報から誤って削除することを防ぐことができる。
【００７０】
（２９）より好ましくは、上記移動情報取得部は、さらに、上記対象無線基地局装置と通信する無線端末装置が上記第２の無線基地局装置と通信可能か否かを示す移動情報を取得する。
【００７１】
このように、移動動作履歴の情報に加えて、他の内容の情報を移動情報として取得する構成により、より最適な隣接セル情報を生成することができる。
【００７２】
（３０）より好ましくは、上記隣接セル情報生成部は、上記対象無線基地局装置以外の複数の上記無線基地局装置の中から、上記移動情報の示す上記滞在時間が所定値以下となり、かつ上記対象無線基地局装置と通信する無線端末装置が上記第２の無線基地局装置と通信可能となる場合における上記第１の無線基地局装置を少なくとも除いた上記隣接セル情報を生成する。
【００７３】
このような構成により、実際には隣接していないセルがあたかも隣接しているように認識され、圏外状態が発生してしまうことを防ぐことができる。
【００７４】
（３１）好ましくは、上記隣接セル処理装置は、１または複数の上記無線基地局装置に含まれる。
【００７５】
このような構成により、たとえばゲートウェイ装置または上位装置で各無線基地局装置の隣接セル情報の最適化を行なう必要がなくなり、無線通信システムにおける処理負荷の分散、ならびに無線基地局装置とゲートウェイ装置または上位装置との間における通信量の低減を図ることができる。
【００７６】
（３２）上記課題を解決するために、この発明のある局面に係わる隣接セル処理方法は、無線端末装置が移動動作を行なうことにより複数の無線基地局装置と通信可能な通信システムにおける隣接セル処理方法であって、上記無線端末装置の移動動作履歴を示す移動情報を上記無線端末装置および上記無線基地局装置の少なくとも一方からの情報に基づいて取得するステップと、取得された上記移動情報に基づいて、対象の上記無線基地局装置以外の複数の上記無線基地局装置のうち、上記対象無線基地局装置の周辺に配置された１または複数の上記無線基地局装置を示す隣接セル情報を生成するステップと、生成された上記隣接セル情報を上記対象無線基地局装置または上記対象無線基地局装置と通信可能な無線端末装置へ送信するステップとを含む。
【００７７】
このような構成により、無線基地局装置の移動および電源のオン／オフに関わらず、隣接セル情報を自動的に最適化することができるため、人手を介すことなく、無線通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００７８】
したがって、適切な隣接セル情報を生成することにより、無線通信システムにおける動作の効率化を図ることができる。
【発明の効果】
【００７９】
本発明によれば、適切な隣接セル情報を生成することにより、無線通信システムにおける動作の効率化を図ることができる。
【図面の簡単な説明】
【００８０】
【図１】本発明の第１の実施の形態に係る無線通信システムの構成を示す図である。
【図２】本発明の第１の実施の形態に係るフェムト基地局の構成を示す図である。
【図３】本発明の第１の実施の形態に係る信号処理部の構成を示す図である。
【図４】フェムト基地局の設置場所およびフェムトセル配置の一例を示す図である。
【図５】初期の隣接セル情報を生成する方法の他の例を示す図である。
【図６】本発明の第１の実施の形態に係る無線通信システムにおける無線端末装置およびフェムト基地局間の通信開始からハンドオーバ完了までのシーケンスの一例を示す図である。
【図７】本発明の第１の実施の形態に係る無線通信システムにおいて、フェムト基地局がハンドオーバ情報を取得するシーケンスの一例を示す図である。
【図８】図４に示す設置場所において無線端末装置が移動する経路の一例を示す図である。
【図９】本発明の第１の実施の形態に係るフェムト基地局がハンドオーバ情報を取得するシーケンスおよび取得したハンドオーバ情報の一例を示す図である。
【図１０】本発明の第１の実施の形態に係る無線通信システムにおいて、フェムト基地局が隣接セル情報を無線端末装置へ通知する方法の一例を示す図である。
【図１１】本発明の第１の実施の形態に係る無線通信システムにおいて、フェムト基地局が隣接セル情報を無線端末装置へ通知する方法の一例を示す図である。
【図１２】本発明の第１の実施の形態に係る無線通信システムにおいて、フェムト基地局が隣接セル情報を無線端末装置へ通知する方法の一例を示す図である。
【図１３】本発明の第２の実施の形態に係るゲートウェイ装置の構成を示す図である。
【図１４】本発明の第２の実施の形態に係るゲートウェイ装置におけるデータ処理部の構成を示す図である。
【図１５】本発明の第２の実施の形態に係る無線通信システムにおけるハンドオーバ動作の一例およびゲートウェイ装置がハンドオーバ情報を取得する動作を示す図である。
【図１６】本発明の第２の実施の形態に係るゲートウェイ装置がハンドオーバ情報を取得するシーケンスおよび取得したハンドオーバ情報の一例を示す図である。
【図１７】本発明の第３の実施の形態に係る無線通信システムにおけるハンドオーバ動作の一例およびゲートウェイ装置がハンドオーバ情報を取得する動作を示す図である。
【図１８】本発明の第３の実施の形態に係るゲートウェイ装置が取得したハンドオーバ情報の一例を示す図である。
【図１９】本発明の第３の実施の形態に係る無線通信システムにおけるセル配置の一例を示す図である。
【図２０】図１９に示すセル配置における、意図しない圏外状態の発生を示す図である。
【図２１】本発明の第３の実施の形態に係るゲートウェイ装置が隣接セル情報の最適化を行なう際の動作手順を示すフローチャートである。
【図２２】本発明の第４の実施の形態に係るフェムト基地局のアクセスモードと接続可能な無線端末装置との関係を示す図である。
【図２３】本発明の第４の実施の形態に係る無線通信システムにおける無線基地局装置の配置例を示す図である。
【図２４】本発明の第４の実施の形態に係る無線基地局装置における信号処理部の構成を示す図である。
【図２５】本発明の第４の実施の形態に係る無線通信システムにおいて、無線基地局装置が隣接セル情報を生成するシーケンスの一例を示す図である。
【図２６】本発明の第４の実施の形態に係る無線通信システムにおいて、無線基地局装置がハンドオーバ情報を取得するシーケンスの一例を示す図である。
【図２７】本発明の第４の実施の形態に係る無線基地局装置が隣接セル情報を更新する動作を示す図である。
【図２８】本発明の第４の実施の形態に係る無線基地局装置が隣接セル情報を更新する動作の他の例を示す図である。
【図２９】本発明の第５の実施の形態に係るゲートウェイ装置が取得したハンドオーバ情報の一例を示す図である。
【図３０】本発明の第５の実施の形態に係るゲートウェイ装置が生成する隣接セル情報の一例を示す図である。
【発明を実施するための形態】
【００８１】
以下、本発明の実施の形態について図面を用いて説明する。なお、図中同一または相当部分には同一符号を付してその説明は繰り返さない。
【００８２】
＜第１の実施の形態＞
［構成および基本動作］
図１は、本発明の第１の実施の形態に係る無線通信システムの構成を示す図である。
【００８３】
図１を参照して、無線通信システム３０１は、たとえば３ＧＰＰ（Third Generation Partnership Project）で規格化されたＬＴＥ（Long Term Evolution）に従う移動体通信システムであり、マクロ基地局２０１と、フェムト基地局（無線基地局装置）１０１Ａ，１０１Ｂ，１０１Ｃ，１０１Ｄと、ゲートウェイ装置２０３と、上位装置２０５とを備える。
【００８４】
以下、フェムト基地局１０１Ａ，１０１Ｂ，１０１Ｃ，１０１Ｄの各々をフェムト基地局１０１と称する場合がある。また、図１では、１つのマクロ基地局と、４つのフェムト基地局とを代表的に示しているが、少数またはさらに多数のマクロ基地局およびフェムト基地局が設けられてもよい。
【００８５】
本発明の第１の実施の形態に係る無線通信システムでは、フェムト基地局１０１Ａ，１０１Ｂ，１０１Ｃ，１０１Ｄが、それぞれ隣接セル処理装置として動作する。すなわち、フェムト基地局１０１Ａ，１０１Ｂ，１０１Ｃ，１０１Ｄの各々は、単体で隣接セル情報の最適化を行なう。
【００８６】
マクロ基地局２０１は、たとえば半径数キロメートルのマクロセルＭＣを形成する。また、フェムト基地局１０１Ａ，１０１Ｂ，１０１Ｃ，１０１Ｄは、たとえば半径数１０メートルのフェムトセルＦＣＡ，ＦＣＢ，ＦＣＣ，ＦＣＤをそれぞれ形成する。
【００８７】
マクロ基地局２０１は、マクロセルＭＣ内に存在する無線端末装置２０２と無線信号を送受信することにより、当該無線端末装置２０２と通信することが可能である。
【００８８】
フェムト基地局１０１Ａ，１０１Ｂ，１０１Ｃ，１０１Ｄは、宅内および地下街等、マクロ基地局２０１からの無線信号を無線端末装置２０２が受信しにくい場所に設置され、それぞれフェムトセルＦＣＡ，ＦＣＢ，ＦＣＣ，ＦＣＤ内に存在する無線端末装置２０２と無線信号を送受信することにより、当該無線端末装置２０２と通信することが可能である。
【００８９】
ゲートウェイ装置２０３は、フェムト基地局１０１Ａ，１０１Ｂ，１０１Ｃ，１０１Ｄとコアネットワーク２０４における上位装置２０５との間で送信される種々の通信データの中継処理等を行なう。
【００９０】
図２は、本発明の第１の実施の形態に係るフェムト基地局の構成を示す図である。
図２を参照して、フェムト基地局１０１は、アンテナ９１と、サーキュレータ９２と、無線受信部９３と、無線送信部９４と、信号処理部９５とを備える。信号処理部９５は、受信信号処理部９６と、送信信号処理部９７とを含む。信号処理部９５は、ＣＰＵ（Central Processing Unit）またはＤＳＰ（Digital Signal Processor）等によって実現される。
【００９１】
サーキュレータ９２は、アンテナ９１において受信された無線端末装置２０２からの無線信号を無線受信部９３へ出力し、また、無線送信部９４から受けた無線信号をアンテナ９１へ出力する。
【００９２】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【００９３】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してゲートウェイ装置２０３へ送信する。
【００９４】
送信信号処理部９７は、ゲートウェイ装置２０３から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【００９５】
無線送信部９４は、送信信号処理部９７から受けたデジタル信号をアナログ信号に変換し、変換したアナログ信号を無線信号に周波数変換してサーキュレータ９２へ出力する。
【００９６】
図３は、本発明の第１の実施の形態に係る信号処理部の構成を示す図である。
図３を参照して、受信信号処理部９６は、ハンドオーバ情報取得部１１と、隣接セル情報生成部１２とを含む。送信信号処理部９７は、隣接セル情報送信部１３を含む。
【００９７】
ハンドオーバ情報取得部１１は、無線端末装置２０２のハンドオーバ動作履歴を示すハンドオーバ情報を他のフェムト基地局１０１および無線端末装置２０２の少なくとも一方からの情報に基づいて取得する。
【００９８】
隣接セル情報生成部１２は、ハンドオーバ情報取得部１１によって取得されたハンドオーバ情報に基づいて、隣接セル情報を与える対象となるフェムト基地局（以下、対象フェムト基地局とも称する。）以外の無線通信システム３０１における複数のフェムト基地局１０１のうち、対象フェムト基地局の周辺に設置された１または複数のフェムト基地局１０１を示す隣接セル情報を生成する。
【００９９】
たとえば、隣接セル情報生成部１２は、対象フェムト基地局と通信する無線端末装置２０２のハンドオーバ先候補となる１または複数のフェムト基地局１０１を示す隣接セル情報を生成する。本発明の第１の実施の形態に係るフェムト基地局では、対象フェムト基地局は自己のフェムト基地局１０１である。
【０１００】
隣接セル情報送信部１３は、隣接セル情報生成部１２によって生成された隣接セル情報を自己のフェムト基地局１０１と通信可能な無線端末装置２０２、すなわち自己のフェムト基地局１０１によって形成されるフェムトセルに存在する無線端末装置２０２へ送信する。
【０１０１】
［初期の隣接セル情報の生成］
図４は、フェムト基地局の設置場所およびフェムトセル配置の一例を示す図である。
図４を参照して、フェムト基地局１０１Ａ，１０１Ｂ，１０１Ｃ，１０１Ｄがたとえば地下街に設置され、フェムトセルＦＣＡ，ＦＣＢ，ＦＣＣ，ＦＣＤの各々の一部が重なり合うように形成されている。この地下街は、複数の構造物ＷＡで区切られることにより、複数の通路ＰＡが形成されている。
【０１０２】
たとえば、各フェムト基地局１０１は、設置されて起動されると、自ら周辺のフェムト基地局１０１を検索し、検索したフェムト基地局を示す初期の隣接セル情報を生成する。図４では、フェムト基地局１０１Ｃが、検索したフェムト基地局１０１Ａ，１０１Ｂ，１０１Ｄを示す初期の隣接セル情報を生成している。無線通信システム３０１では、初期の段階における最適化されていない隣接セル情報の生成方法および収集方法は任意である。
【０１０３】
図５は、初期の隣接セル情報を生成する方法の他の例を示す図である。
図５を参照して、フェムト基地局１０１Ａ，１０１Ｂ，１０１Ｃ，１０１Ｄは、各フェムト基地局１０１が共通に接続されているゲートウェイ装置２０３から隣接セル情報を取得してもよい。たとえば、ゲートウェイ装置２０３は、接続されている配下のフェムト基地局１０１Ａ，１０１Ｂ，１０１Ｃ，１０１Ｄから対象フェムト基地局を除いた隣接セル情報を各フェムト基地局１０１に通知する。
【０１０４】
［ハンドオーバ情報の収集］
図６は、本発明の第１の実施の形態に係る無線通信システムにおける無線端末装置およびフェムト基地局間の通信開始からハンドオーバ完了までのシーケンスの一例を示す図である。
【０１０５】
図６を参照して、まず、無線端末装置２０２およびフェムト基地局１０１Ａ間で無線制御信号のリンク設定、すなわちＩＰ（Internet Protocol）パケット等の通信データを送受信する前段階の各種制御処理が行われる（ステップＳ１）。
【０１０６】
次に、無線端末装置２０２およびフェムト基地局１０１Ａ間でＮＡＳ（Non-Access Stratum）層のセキュリティ処理、すなわち通信の暗号化に必要な情報の送受信が行われる（ステップＳ２）。たとえば、ＬＴＥでは、無線端末装置２０２は、コアネットワーク２０４における上位装置２０５との間で当該情報をやりとりし、フェムト基地局１０１Ａは当該情報を中継する役割を果たす。
【０１０７】
次に、無線端末装置２０２およびフェムト基地局１０１Ａ間で無線データリンクの設定が行われる。たとえば、フェムト基地局１０１Ａでは、ＩＰパケット等の通信データを送受信するためのリソース割り当て処理が行われ、その後、無線端末装置２０２およびフェムト基地局１０１Ａ間で通信データが送受信される。また、フェムト基地局１０１Ａは、他のフェムト基地局１０１から送信される無線信号の受信レベルを無線端末装置２０２に測定させるための測定開始要求を無線端末装置２０２へ送信する（ステップＳ３）。たとえば、ＬＴＥでは、フェムト基地局１０１Ａから無線端末装置２０２に通知される無線データリンクの設定要求に、この測定開始要求が含まれる。
【０１０８】
次に、無線端末装置２０２は、フェムト基地局１０１Ａから測定開始要求を受信して、自ら保持している隣接セル情報の示すフェムト基地局１０１から送信される無線信号の受信レベルを測定する（ステップＳ４）。
【０１０９】
次に、無線端末装置２０２は、この受信レベルの測定結果を示す測定結果通知をフェムト基地局１０１Ａへ送信する（ステップＳ５）。
【０１１０】
次に、フェムト基地局１０１Ａは、無線端末装置２０２から受信した測定結果通知に基づいて、当該無線端末装置２０２がハンドオーバすべきか否かを判断し、ハンドオーバすべきであると判断すると、たとえばフェムト基地局１０１Ｂをハンドオーバ先として決定する（ステップＳ６）。
【０１１１】
ここで、本発明の実施の形態に係る無線通信システムにおいて、ハンドオーバとは、通話中またはデータ通信中の無線端末装置２０２の通信相手となるフェムト基地局１０１が切り替えられることを意味する。
【０１１２】
次に、フェムト基地局１０１Ａは、フェムト基地局１０１Ｂへハンドオーバ要求を送信する（ステップＳ７）。
【０１１３】
次に、フェムト基地局１０１Ｂは、フェムト基地局１０１Ａからハンドオーバ要求を受信して、フェムト基地局１０１Ａへ当該ハンドオーバ要求に対するハンドオーバ応答を送信する（ステップＳ８）。
【０１１４】
次に、フェムト基地局１０１Ａは、フェムト基地局１０１Ｂから受信したハンドオーバ応答がハンドオーバ可能である旨を示している場合には、無線端末装置２０２へハンドオーバ指示を送信する（ステップＳ９）。
【０１１５】
次に、無線端末装置２０２およびフェムト基地局１０１Ｂ間で無線制御信号のリンク設定が行われる（ステップＳ１０）。この際、無線端末装置２０２およびフェムト基地局１０１Ａ間で無線制御信号のリンクおよび無線データリンクの設定解除等も行われる。
【０１１６】
次に、無線端末装置２０２およびフェムト基地局１０１Ｂ間でＮＡＳ層のセキュリティ処理が行われる（ステップＳ１１）。
【０１１７】
次に、無線端末装置２０２およびフェムト基地局１０１Ｂ間で無線データリンクの設定が行われ、その後、無線端末装置２０２およびフェムト基地局１０１Ｂ間でＩＰパケット等の通信データが送受信される（ステップＳ１２）。
【０１１８】
次に、フェムト基地局１０１Ｂは、フェムト基地局１０１Ａへハンドオーバ完了通知を送信する（ステップＳ１３）。
【０１１９】
次に、フェムト基地局１０１Ａは、フェムト基地局１０１Ｂからハンドオーバ完了通知を受信することにより、ハンドオーバ情報を取得する、すなわち、自己の保持しているハンドオーバ回数等を更新する（ステップＳ１４）。そして、フェムト基地局１０１Ａは、必要に応じて隣接セル情報の最適化を行なう。
【０１２０】
次に、フェムト基地局１０１Ａは、無線端末装置２０２による通話またはデータ通信が終了すると、無線端末装置２０２に割り当てたリソースを解放する（ステップＳ１５）。
【０１２１】
図７は、本発明の第１の実施の形態に係る無線通信システムにおいて、フェムト基地局がハンドオーバ情報を取得するシーケンスの一例を示す図である。
【０１２２】
図７を参照して、まず、無線端末装置２０２Ａにおいてフェムト基地局１０１Ａをハンドオーバ先またはハンドオーバ元とするハンドオーバが発生する（ステップＳ２１）。
【０１２３】
次に、フェムト基地局１０１Ａは、無線端末装置２０２Ａにおいて発生したハンドオーバ動作の内容をハンドオーバ情報に反映して更新する（ステップＳ２２）。
【０１２４】
次に、無線端末装置２０２Ｂにおいてフェムト基地局１０１Ａをハンドオーバ先またはハンドオーバ元とするハンドオーバが発生する（ステップＳ２３）。
【０１２５】
次に、フェムト基地局１０１Ａは、無線端末装置２０２Ｂにおいて発生したハンドオーバ動作の内容をハンドオーバ情報に反映して更新する（ステップＳ２４）。
【０１２６】
次に、無線端末装置２０２Ｃにおいてフェムト基地局１０１Ａをハンドオーバ先またはハンドオーバ元とするハンドオーバが発生する（ステップＳ２５）。
【０１２７】
次に、フェムト基地局１０１Ａは、無線端末装置２０２Ｃにおいて発生したハンドオーバ動作の内容をハンドオーバ情報に反映して更新する（ステップＳ２６）。
【０１２８】
次に、フェムト基地局１０１Ａは、更新後のハンドオーバ情報に基づいて、隣接セル情報の最適化を行なう（ステップＳ２７）。
【０１２９】
図８は、図４に示す設置場所において無線端末装置が移動する経路の一例を示す図である。
【０１３０】
図８を参照して、フェムトセルＦＣＢに存在し、フェムト基地局１０１Ｂと通信中の無線端末装置２０２が図８の各矢印に示すように移動した場合、無線端末装置２０２は、フェムト基地局１０１Ｂからフェムト基地局１０１Ａ、フェムト基地局１０１Ｃおよびフェムト基地局１０１Ｄへそれぞれハンドオーバする。
【０１３１】
すなわち、フェムトセルＦＣＢに存在し、フェムト基地局１０１Ｂと通信中の無線端末装置２０２が図８の各矢印に示すように移動した場合、無線端末装置２０２の通信相手は、フェムト基地局１０１Ｂからフェムト基地局１０１Ａ、フェムト基地局１０１Ｃおよびフェムト基地局１０１Ｄへそれぞれ切り替えられる。
【０１３２】
図９は、本発明の第１の実施の形態に係るフェムト基地局がハンドオーバ情報を取得するシーケンスおよび取得したハンドオーバ情報の一例を示す図である。
【０１３３】
図９を参照して、フェムト基地局１０１Ｂは、図６および図７に示すシーケンスに従ってハンドオーバ情報を取得する。すなわち、フェムト基地局１０１Ｂは、各無線端末装置２０２においてハンドオーバが発生し、このハンドオーバが完了するたびに（ステップＳ５１およびＳ５３）、ハンドオーバ回数をハンドオーバ先のフェムト基地局ごとにカウントし、保持しているハンドオーバ回数テーブルを更新する（ステップＳ５２およびＳ５４）。
【０１３４】
具体的には、まず、フェムト基地局１０１Ｂでは、フェムト基地局１０１Ｂからフェムト基地局１０１Ａへのハンドオーバが１９回発生し、フェムト基地局１０１Ｂからフェムト基地局１０１Ｃへのハンドオーバが１回発生し、フェムト基地局１０１Ｂからフェムト基地局１０１Ｄへのハンドオーバが１５回発生したことを示すハンドオーバ回数テーブルが得られている。
【０１３５】
次に、フェムト基地局１０１Ｂからフェムト基地局１０１Ａへのハンドオーバが無線端末装置２０２において発生すると、フェムト基地局１０１Ａは、ハンドオーバ完了通知をフェムト基地局１０１Ｂへ送信する（ステップＳ５１）。
【０１３６】
次に、フェムト基地局１０１Ｂは、フェムト基地局１０１Ａからハンドオーバ完了通知を受信して、ハンドオーバ回数テーブルにおいてフェムト基地局１０１Ｂからフェムト基地局１０１Ａへのハンドオーバ回数を１９回から２０回に変更する（ステップＳ５２）。
【０１３７】
次に、フェムト基地局１０１Ｂからフェムト基地局１０１Ｃへのハンドオーバが無線端末装置２０２において発生すると、フェムト基地局１０１Ｃは、ハンドオーバ完了通知をフェムト基地局１０１Ｂへ送信する（ステップＳ５３）。
【０１３８】
次に、フェムト基地局１０１Ｂは、フェムト基地局１０１Ｃからハンドオーバ完了通知を受信して、ハンドオーバ回数テーブルにおいてフェムト基地局１０１Ｂからフェムト基地局１０１Ｃへのハンドオーバ回数を１回から２回に変更する（ステップＳ５４）。
【０１３９】
フェムト基地局１０１Ｂは、ハンドオーバ完了通知を受信するたびに、あるいは所定周期ごとに隣接セル情報の最適化を行なう。たとえば、フェムト基地局１０１Ｂにおけるハンドオーバ情報取得部１１は、無線端末装置２０２がフェムト基地局１０１Ｂからフェムト基地局１０１Ａ、フェムト基地局１０１Ｃおよびフェムト基地局１０１Ｄへそれぞれハンドオーバする回数を、たとえば６時間〜１日程度の期間カウントしてハンドオーバ情報を得る。
【０１４０】
図９に示す例では、所定の測定期間において、フェムト基地局１０１Ｂからフェムト基地局１０１Ａへのハンドオーバが２０回発生し、フェムト基地局１０１Ｂからフェムト基地局１０１Ｃへのハンドオーバが２回発生し、フェムト基地局１０１Ｂからフェムト基地局１０１Ｄへのハンドオーバが１５回発生したことを示すハンドオーバ回数テーブルが得られている。
【０１４１】
このように、フェムト基地局１０１Ｂにおけるハンドオーバ情報取得部１１は、対象フェムト基地局すなわちフェムト基地局１０１Ｂとフェムト基地局１０１Ｂ以外のフェムト基地局１０１Ａ，１０１Ｃ，１０１Ｄの各々との間における無線端末装置２０２のハンドオーバの回数、たとえばフェムト基地局１０１Ａ，１０１Ｃ，１０１Ｄがハンドオーバ先となる回数を示すハンドオーバ情報を取得する。
【０１４２】
［隣接セル情報の最適化］
フェムト基地局１０１Ｂにおける隣接セル情報生成部１２は、フェムト基地局１０１Ａ，１０１Ｃ，１０１Ｄの中から、ハンドオーバ情報の示すハンドオーバの回数が所定値以下となるフェムト基地局１０１を少なくとも除いた隣接セル情報を生成する。
【０１４３】
具体的には、上記ハンドオーバ回数テーブルにより、フェムト基地局１０１Ｂからフェムト基地局１０１Ｃへハンドオーバする無線端末装置２０２の数は、フェムト基地局１０１Ｂからフェムト基地局１０１Ａおよび１０１Ｄへそれぞれハンドオーバする無線端末装置２０２の数と比べて極端に少ないことが分かる。このため、隣接セル情報生成部１２は、フェムトセルＦＣＣは、フェムトセルＦＣＢから移動する無線端末装置２０２の実際の経路上には存在しないセルであると推測し、フェムト基地局１０１Ｂを対象フェムト基地局とする隣接セル情報からフェムト基地局１０１Ｃを削除してもよいと判断する。
【０１４４】
このときの具体的な判定方法としては、たとえば以下のようなものが考えられる。すなわち、隣接セル情報生成部１２は、ハンドオーバ回数が、最もハンドオーバ回数の多いフェムト基地局１０１Ａの２０回のＮ分の１以下（Ｎは２以上の自然数）であるハンドオーバ先のフェムト基地局１０１を隣接セル情報から削除する。あるいは、隣接セル情報生成部１２は、全体の平均ハンドオーバ回数すなわちフェムト基地局１０１Ａ、フェムト基地局１０１Ｃおよびフェムト基地局１０１Ｄへのハンドオーバ回数の平均値のＮ分の１以下（Ｎは２以上の自然数）であるハンドオーバ先のフェムト基地局１０１を隣接セル情報から削除する。
【０１４５】
なお、ハンドオーバ情報取得部１１は、現在から過去の一定期間における無線端末装置２０２のハンドオーバ動作履歴を示すハンドオーバ情報を取得する構成であってもよい。すなわち、隣接セル情報生成部１２は、現在から過去の一定期間におけるハンドオーバ動作履歴に基づいて隣接セル情報を生成する構成であってもよい。たとえば、隣接セル情報生成部１２は、現在時刻から１日前までの期間におけるハンドオーバ動作履歴に基づいて隣接セル情報を生成してもよい。また、隣接セル情報生成部１２は、ハンドオーバの所定回数分の履歴に基づいて隣接セル情報を生成してもよい。たとえば、隣接セル情報生成部１２は、過去の最新３０回分のハンドオーバの試行履歴に基づいて隣接セル情報を生成してもよい。このような構成により、たとえば電源がオフになったフェムト基地局１０１が隣接セル情報にいつまでも残ったままになってしまうことを防ぐことができる。
【０１４６】
［隣接セル情報の通知］
上述のように、フェムト基地局１０１は、ハンドオーバ情報の更新に伴い、あるタイミングで隣接セル情報の最適化を行なう。そして、この最適化された隣接セル情報は無線端末装置２０２へ通知する必要がある。すなわち、フェムト基地局１０１における隣接セル情報送信部１３は、隣接セル情報生成部１２によって生成された隣接セル情報を対象フェムト基地局である自己のフェムト基地局１０１と通信可能な無線端末装置２０２へ送信する。この通知方法としては、たとえば以下の３つの方法が考えられる。
【０１４７】
図１０は、本発明の第１の実施の形態に係る無線通信システムにおいて、フェムト基地局が隣接セル情報を無線端末装置へ通知する方法の一例を示す図である。
【０１４８】
図１０を参照して、フェムト基地局１０１Ａは、アイドル状態すなわち通話およびデータ通信を行なっていない状態の無線端末装置２０２に対して、隣接セル情報を報知情報に含めて通知する。この場合、フェムト基地局１０１Ａは、報知情報変化通知を利用して、隣接セル情報が更新されたことを無線端末装置２０２に通知する。
【０１４９】
より詳細には、フェムト基地局１０１Ａは、隣接セル情報の最適化が発生すると（ステップＳ２７）、報知情報変化通知をフェムトセルＦＣＡに存在する各無線端末装置２０２へブロードキャストする（ステップＳ２８）。
【０１５０】
次に、フェムト基地局１０１Ａは、更新した隣接セル情報を含んだ報知情報をフェムトセルＦＣＡに存在する各無線端末装置２０２へブロードキャストする。そして、報知情報変化通知を受信した無線端末装置２０２は、フェムト基地局１０１Ａから送信される報知情報から隣接セル情報を読み出し、自ら保持している隣接セル情報を、読み出した隣接セル情報に更新する（ステップＳ２９）。
【０１５１】
次に、無線端末装置２０２は、自律的にまたはフェムト基地局１０１Ａから測定開始要求を受信して、更新した隣接セル情報の示すフェムト基地局１０１から送信される無線信号の受信レベルを測定する（ステップＳ３０）。
【０１５２】
図１１は、本発明の第１の実施の形態に係る無線通信システムにおいて、フェムト基地局が隣接セル情報を無線端末装置へ通知する方法の一例を示す図である。
【０１５３】
図１１を参照して、たとえばＬＴＥでは、ＲＲＣ（Radio Resource Control）コネクションの確立処理を行なう無線端末装置２０２すなわちフェムト基地局１０１Ａと通信を開始するための処理を行なう無線端末装置２０２に対して、フェムト基地局１０１Ａは、無線データリンクを設定する際に隣接セル情報を通知する。
【０１５４】
より詳細には、まず、無線端末装置２０２およびフェムト基地局１０１Ａ間で無線制御信号のリンク設定が行われる（ステップＳ３１）。
【０１５５】
次に、無線端末装置２０２およびフェムト基地局１０１Ａ間でＮＡＳ層のセキュリティ処理が行われる（ステップＳ３２）。
【０１５６】
次に、無線端末装置２０２およびフェムト基地局１０１Ａ間で無線データリンクの設定が行われ、その後、無線端末装置２０２およびフェムト基地局１０１Ａ間でＩＰパケット等の通信データが送受信される。また、フェムト基地局１０１Ａは、他のフェムト基地局から送信される無線信号の受信レベルを無線端末装置２０２に測定させるための測定開始要求を無線端末装置２０２へ送信する（ステップＳ３３）。たとえば、ＬＴＥでは、フェムト基地局１０１Ａから無線端末装置２０２に通知される無線データリンクの設定要求に、当該測定開始要求が含まれる。そして、この測定開始要求に隣接セル情報が含まれる。
【０１５７】
次に、無線端末装置２０２は、フェムト基地局１０１Ａから測定開始要求を受信して、自ら保持している隣接セル情報を、新たに通知された隣接セル情報に更新し、更新した隣接セル情報の示すフェムト基地局１０１から送信される無線信号の受信レベルを測定する（ステップＳ３４）。
【０１５８】
図１２は、本発明の第１の実施の形態に係る無線通信システムにおいて、フェムト基地局が隣接セル情報を無線端末装置へ通知する方法の一例を示す図である。
【０１５９】
図１２を参照して、フェムト基地局１０１Ａは、自己と通信中の無線端末装置２０２に対して、測定変更要求を利用して隣接セル情報の更新を通知する。
【０１６０】
より詳細には、フェムト基地局１０１Ａは、隣接セル情報の最適化が発生すると（ステップＳ２７）、更新された隣接セル情報を測定変更要求に含めて無線端末装置２０２へ送信する（ステップＳ４１）。
【０１６１】
次に、無線端末装置２０２は、自ら保持している隣接セル情報を、フェムト基地局１０１Ａから受信した測定変更要求に含まれる隣接セル情報に変更し、変更した隣接セル情報の示すフェムト基地局１０１から送信される無線信号の受信レベルを測定する（ステップＳ４２）。
【０１６２】
ところで、フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【０１６３】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、ハンドオーバ先としては向かないフェムト基地局が隣接セル情報に登録されていると、無線端末装置が無駄な測定動作を行ない、また、無駄なハンドオーバが発生してしまう。
【０１６４】
これに対して、本発明の第１の実施の形態に係る無線通信システムでは、ハンドオーバ情報取得部１１は、無線端末装置２０２のハンドオーバ動作履歴を示すハンドオーバ情報を、無線端末装置２０２からの情報すなわちハンドオーバ完了通知に基づいて取得する。隣接セル情報生成部１２は、ハンドオーバ情報取得部１１によって取得されたハンドオーバ情報に基づいて、対象フェムト基地局以外の複数のフェムト基地局１０１のうち、対象フェムト基地局の周辺に設置された１または複数のフェムト基地局１０１を示す隣接セル情報を生成する。
【０１６５】
このような構成により、フェムト基地局の移動および電源のオン／オフに関わらず、隣接セル情報を自動的に最適化することができるため、人手を介すことなく、無線通信システム３０１における動作の効率化を図ることができる。また、自動的に隣接セル情報の最適化が行われることから、フェムト基地局１０１に対する特別な設置処理が不要となるため、フェムト基地局１０１を設置するための作業時間および費用の低減を図ることができる。
【０１６６】
また、特許文献１に記載の技術を用いて自動的にフェムト基地局の設定を行なうと、周辺のフェムト基地局をすべて隣接セルとして扱って隣接セル情報に登録し、ハンドオーバ先の候補としてしまう。このため、無線端末装置に対してフェムト基地局が壁の向こう側に存在する等、本来ハンドオーバ先としては向かないフェムト基地局も隣接セル情報に登録してしまう可能性がある。
【０１６７】
これに対して、本発明の第１の実施の形態に係る無線通信システムでは、隣接セル情報生成部１２は、ハンドオーバ情報取得部１１によって取得されたハンドオーバ情報に基づいて、対象フェムト基地局以外の複数のフェムト基地局１０１のうち、対象フェムト基地局と通信する無線端末装置２０２のハンドオーバ先候補となる１または複数のフェムト基地局１０１を示す隣接セル情報を生成する。
【０１６８】
このような構成により、設置されたフェムト基地局１０１のフェムトセル内におけるハンドオーバ動作を最適な状態にすることが可能となる。また、隣接セル情報の最適化を行なうことにより、通信中の無線端末装置２０２のハンドオーバ先候補となる隣接セルの数を低減することができるため、無駄なハンドオーバが発生することを防ぐことができる。
【０１６９】
また、本発明の第１の実施の形態に係る無線通信システムでは、隣接セル情報生成部１２は、対象フェムト基地局以外の複数のフェムト基地局１０１のうち、無線端末装置２０２の測定対象となる１または複数のフェムト基地局１０１を示す隣接セル情報を生成する。
【０１７０】
このように、隣接セル情報の最適化を行なうことにより、無線端末装置２０２が測定を行なう対象となる隣接セルの数を低減することができるため、無線端末装置２０２が無駄な測定動作を行なうことを防ぐことができる。
【０１７１】
また、本発明の第１の実施の形態に係る無線通信システムでは、隣接セル情報生成部１２は、対象フェムト基地局以外の複数のフェムト基地局１０１のうち、無線端末装置２０２が受信レベルを測定する対象となる無線信号を送信する１または複数のフェムト基地局１０１を示す隣接セル情報を生成する。
【０１７２】
このように、隣接セル情報の最適化を行なうことにより、無線端末装置２０２が受信レベル測定を行なう対象となる隣接セルの数を低減することができるため、無線端末装置２０２が無駄な測定動作を行なうことを防ぐことができる。
【０１７３】
また、本発明の第１の実施の形態に係る無線通信システムでは、隣接セル情報生成部１２は、対象フェムト基地局以外の複数のフェムト基地局１０１のうち、アイドル状態すなわち対象フェムト基地局と通信中でない無線端末装置２０２が受信レベルを測定する対象となる無線信号を送信する１または複数のフェムト基地局１０１を示す隣接セル情報を生成する。
【０１７４】
このような構成により、フェムト基地局１０１からの報知情報等によって指示される定期的な電力測定の対象となる隣接セルの数を低減することができるため、無線端末装置２０２が無駄な測定動作を行なうことを防ぐことができる。特に、アイドル状態の無線端末装置２０２の消費電力を低減することができるため、顕著な効果が得られる。
【０１７５】
また、本発明の第１の実施の形態に係る無線通信システムでは、ハンドオーバ情報取得部１１は、対象フェムト基地局と対象フェムト基地局以外の複数のフェムト基地局１０１の各々との間における無線端末装置２０２のハンドオーバの回数を示すハンドオーバ情報を取得する。
【０１７６】
このように、隣接セル情報にどのフェムト基地局を含めるかの判断基準としてハンドオーバ回数を用いることにより、適切な隣接セル情報を生成することができる。
【０１７７】
また、本発明の第１の実施の形態に係る無線通信システムでは、隣接セル情報生成部１２は、対象フェムト基地局以外の複数のフェムト基地局１０１の中から、対象フェムト基地局と対象フェムト基地局以外の複数のフェムト基地局１０１の各々との間における無線端末装置２０２のハンドオーバ回数が所定値以下となるフェムト基地局１０１を少なくとも除いた隣接セル情報を生成する。
【０１７８】
このような構成により、実際にハンドオーバ先として選択された実績の少ないフェムト基地局１０１を隣接セル情報から適切に削除することができる。
【０１７９】
また、本発明の第１の実施の形態に係る無線通信システムでは、フェムト基地局１０１が、単体で隣接セル情報の最適化を行なう。すなわち、本発明の第１の実施の形態に係る隣接セル処理装置は、フェムト基地局１０１に含まれる。このような構成により、たとえばゲートウェイ装置２０３または上位装置２０５で各フェムト基地局１０１の隣接セル情報の最適化を行なう必要がなくなり、無線通信システム３０１における処理負荷の分散、ならびにフェムト基地局１０１とゲートウェイ装置２０３または上位装置２０５との間における通信量の低減を図ることができる。
【０１８０】
なお、本発明の第１の実施の形態に係る無線通信システムでは、フェムト基地局１０１は、他の各フェムト基地局１０１がハンドオーバ先となる回数すなわち自己から他の各フェムト基地局１０１へのハンドオーバ回数をハンドオーバ情報として取得し、これに基づいて隣接セル情報を生成する構成であるとしたが、これに限定するものではない。フェムト基地局１０１は、他の各フェムト基地局１０１がハンドオーバ元となる回数すなわち他の各フェムト基地局１０１から自己へのハンドオーバ回数をハンドオーバ情報として、このハンドオーバ情報をたとえば自己へハンドオーバしてきた無線端末装置２０２からの情報に基づいて取得し、隣接セル情報を生成する構成であってもよい。
【０１８１】
また、本発明の第１の実施の形態に係る無線通信システムでは、ハンドオーバの動作として、無線端末装置２０２の通信相手となるフェムト基地局１０１がフェムト基地局１０１主導で切り替えられる構成であるとしたが、これに限定するものではない。無線端末装置２０２の通信相手となるフェムト基地局１０１が無線端末装置２０２主導で切り替えられる構成であってもよい。
【０１８２】
次に、本発明の他の実施の形態について図面を用いて説明する。なお、図中同一または相当部分には同一符号を付してその説明は繰り返さない。
【０１８３】
＜第２の実施の形態＞
本実施の形態は、第１の実施の形態に係る無線通信システムと比べてフェムト基地局の代わりにゲートウェイ装置が隣接セル処理装置として動作する無線通信システムに関する。以下で説明する内容以外は第１の実施の形態に係る無線通信システムと同様である。
【０１８４】
図１３は、本発明の第２の実施の形態に係るゲートウェイ装置の構成を示す図である。
図１３を参照して、ゲートウェイ装置２０３は、基地局側送受信部８１と、データ処理部８２と、コアネットワーク側送受信部８３とを備える。
【０１８５】
基地局側送受信部８１は、データ処理部８２から受けた通信データを各フェムト基地局１０１へ送信し、また、各フェムト基地局１０１から受信した通信データをデータ処理部８２へ出力する。
【０１８６】
データ処理部８２は、基地局側送受信部８１から受けた通信データに種々の処理を行ない、コアネットワーク側送受信部８３へ出力し、また、コアネットワーク側送受信部８３から受けた通信データに種々の処理を行ない、基地局側送受信部８１へ出力する。
【０１８７】
コアネットワーク側送受信部８３は、データ処理部８２から受けた通信データをコアネットワーク２０４における上位装置２０５へ出力し、また、コアネットワーク２０４における上位装置２０５から受信した通信データをデータ処理部８２へ出力する。
【０１８８】
本発明の第２の実施の形態に係る無線通信システムでは、ゲートウェイ装置２０３が、その配下のフェムト基地局全体を監視して隣接セル情報の最適化を行なう。たとえば、ゲートウェイ装置２０３は、各フェムト基地局１０１間におけるハンドオーバ回数の統計情報を収集する。
【０１８９】
図１４は、本発明の第２の実施の形態に係るゲートウェイ装置におけるデータ処理部の構成を示す図である。
【０１９０】
図１４を参照して、データ処理部８２は、ハンドオーバ情報取得部２１と、隣接セル情報生成部２２と、隣接セル情報送信部２３とを含む。
【０１９１】
ハンドオーバ情報取得部２１は、無線端末装置２０２のハンドオーバ動作履歴を示すハンドオーバ情報を各フェムト基地局１０１からの情報に基づいて取得する。
【０１９２】
隣接セル情報生成部２２は、ハンドオーバ情報取得部２１によって取得されたハンドオーバ情報に基づいて、対象フェムト基地局以外の無線通信システム３０１における複数のフェムト基地局１０１のうち、対象フェムト基地局の周辺に設置された１または複数のフェムト基地局１０１を示す隣接セル情報を生成する。
【０１９３】
たとえば、隣接セル情報生成部２２は、対象フェムト基地局と通信する無線端末装置２０２のハンドオーバ先候補となる１または複数のフェムト基地局１０１を示す隣接セル情報を生成する。
【０１９４】
隣接セル情報送信部２３は、隣接セル情報生成部２２によって生成された隣接セル情報を対象フェムト基地局へ送信する。
【０１９５】
図１５は、本発明の第２の実施の形態に係る無線通信システムにおけるハンドオーバ動作の一例およびゲートウェイ装置がハンドオーバ情報を取得する動作を示す図である。
【０１９６】
図１５を参照して、ゲートウェイ装置２０３は、フェムト基地局１０１Ａ，１０１Ｂ，１０１Ｃ，１０１Ｄの各々からの情報に基づいて、あるフェムト基地局１０１をハンドオーバ元とする他の各フェムト基地局１０１へのハンドオーバ回数、またはあるフェムト基地局１０１をハンドオーバ先とする他の各フェムト基地局１０１からのハンドオーバ回数を示すハンドオーバ回数テーブルをハンドオーバ情報として取得する。
【０１９７】
図１６は、本発明の第２の実施の形態に係るゲートウェイ装置がハンドオーバ情報を取得するシーケンスおよび取得したハンドオーバ情報の一例を示す図である。
【０１９８】
図１６を参照して、ハンドオーバが発生すると、ゲートウェイ装置２０３は、各フェムト基地局１０１から当該ハンドオーバ動作を示す情報を収集する。
【０１９９】
このときフェムト基地局１０１から通知される情報は、どのフェムト基地局１０１からどのフェムト基地局１０１へハンドオーバが行われたかを確認可能な情報である。すなわち、この情報は、ハンドオーバ元のフェムト基地局の識別情報、およびハンドオーバ先のフェムト基地局の識別情報を含む。なお、ハンドオーバ元およびハンドオーバ先のいずれのフェムト基地局１０１が当該情報をゲートウェイ装置２０３に通知するかは任意である。
【０２００】
また、ゲートウェイ装置２０３は、収集した情報に基づいてハンドオーバ回数テーブルを更新し、更新したハンドオーバ回数テーブルに基づいて隣接セル情報を更新すると、更新した隣接セル情報を各フェムト基地局１０１へ通知する。ゲートウェイ装置２０３は、各フェムト基地局１０１が必要とする隣接セル情報を別個に生成して、各フェムト基地局１０１へ通知する。フェムト基地局１０１は、ゲートウェイ装置２０３から受信した隣接セル情報を、本発明の第１の実施の形態に係るフェムト基地局と同様の方法で無線端末装置２０２へ通知する。
【０２０１】
より詳細には、まず、ゲートウェイ装置２０３では、フェムト基地局１０１Ａおよびフェムト基地局１０１Ｂ間においてハンドオーバが１９回発生し、フェムト基地局１０１Ａおよびフェムト基地局１０１Ｃ間においてハンドオーバが１２回発生し、フェムト基地局１０１Ａおよびフェムト基地局１０１Ｄ間においてハンドオーバが０回発生し、フェムト基地局１０１Ｂおよびフェムト基地局１０１Ｃ間においてハンドオーバが５回発生したことを示すハンドオーバ回数テーブルが得られている。
【０２０２】
次に、フェムト基地局１０１Ｂからフェムト基地局１０１Ａへのハンドオーバが無線端末装置２０２において発生すると、フェムト基地局１０１Ａは、当該ハンドオーバ動作を示す情報をゲートウェイ装置２０３へ送信する（ステップＳ６１）。
【０２０３】
次に、ゲートウェイ装置２０３は、フェムト基地局１０１Ａから受信した情報に基づいて、ハンドオーバ回数テーブルにおけるフェムト基地局１０１Ａおよびフェムト基地局１０１Ｂ間のハンドオーバ回数を１９回から２０回に変更する（ステップＳ６２）。
【０２０４】
次に、フェムト基地局１０１Ｂからフェムト基地局１０１Ｃへのハンドオーバが無線端末装置２０２において発生すると、フェムト基地局１０１Ｂは、当該ハンドオーバ動作を示す情報をゲートウェイ装置２０３へ送信する（ステップＳ６３）。
【０２０５】
次に、ゲートウェイ装置２０３は、フェムト基地局１０１Ｂから受信した情報に基づいて、ハンドオーバ回数テーブルにおけるフェムト基地局１０１Ｂおよびフェムト基地局１０１Ｃ間のハンドオーバ回数を５回から６回に変更する（ステップＳ６４）。
【０２０６】
次に、フェムト基地局１０１Ｃからフェムト基地局１０１Ｂへのハンドオーバが無線端末装置２０２において発生すると、フェムト基地局１０１Ｃは、当該ハンドオーバ動作を示す情報をゲートウェイ装置２０３へ送信する（ステップＳ６５）。
【０２０７】
次に、ゲートウェイ装置２０３は、フェムト基地局１０１Ｃから受信した情報に基づいて、ハンドオーバ回数テーブルにおけるフェムト基地局１０１Ｂおよびフェムト基地局１０１Ｃ間のハンドオーバ回数を６回から７回に変更する（ステップＳ６６）。
【０２０８】
図１６に示す例では、所定の測定期間において、フェムト基地局１０１Ａおよびフェムト基地局１０１Ｂ間においてハンドオーバが２０回発生し、フェムト基地局１０１Ａおよびフェムト基地局１０１Ｃ間においてハンドオーバが１２回発生し、フェムト基地局１０１Ａおよびフェムト基地局１０１Ｄ間においてハンドオーバが０回発生し、フェムト基地局１０１Ｂおよびフェムト基地局１０１Ｃ間においてハンドオーバが７回発生したことを示すハンドオーバ回数テーブルが得られている。
【０２０９】
この場合、ゲートウェイ装置２０３は、たとえば、フェムト基地局１０１Ａを対象フェムト基地局とする隣接セル情報からハンドオーバ回数の少ないフェムト基地局１０１Ｄを削除する。
【０２１０】
ここで、本発明の第１の実施の形態に係る無線通信システムにおいて、たとえば１日の午前においてある方向の移動者が多く、１日の午後においてその反対方向の移動者が多い場所にフェムト基地局が設置され、フェムト基地局による測定期間が午前中である場合には、ハンドオーバ回数が少ないとして隣接セル情報からフェムト基地局を誤って削除してしまう場合がある。
【０２１１】
これに対して、本発明の第２の実施の形態に係る無線通信システムでは、ハンドオーバ情報取得部２１は、対象フェムト基地局から対象フェムト基地局以外の複数のフェムト基地局１０１への無線端末装置２０２のハンドオーバの回数、および対象フェムト基地局以外の複数のフェムト基地局から対象フェムト基地局への無線端末装置２０２のハンドオーバの回数を示すハンドオーバ情報を取得する。すなわち、２つのフェムト基地局１０１間における双方向のハンドオーバ回数に基づいて、隣接セル情報からのフェムト基地局１０１の削除を判断する構成であるため、より最適な隣接セル情報を生成することができる。
【０２１２】
なお、本発明の第２の実施の形態に係るゲートウェイ装置は、フェムト基地局１０１と別個に設けられる構成であるとしたが、これに限定するものではない。ゲートウェイ装置２０３が、無線通信システム３０１における各フェムト基地局１０１のうちの少なくとも１つに含まれる構成であってもよい。この場合、ゲートウェイ装置２０３を搭載するフェムト基地局１０１は、自己の形成するフェムトセルに存在する無線端末装置２０２、および他のフェムト基地局１０１からの情報に基づいてハンドオーバ情報を取得する。そして、ゲートウェイ装置２０３は、生成した隣接セル情報を、自己の形成するフェムトセルに存在する無線端末装置２０２、および他のフェムト基地局１０１へ通知する。
【０２１３】
その他の構成および動作は第１の実施の形態に係る無線通信システムと同様であるため、ここでは詳細な説明を繰り返さない。
【０２１４】
次に、本発明の他の実施の形態について図面を用いて説明する。なお、図中同一または相当部分には同一符号を付してその説明は繰り返さない。
【０２１５】
＜第３の実施の形態＞
本実施の形態は、第２の実施の形態に係る無線通信システムと比べてハンドオーバ情報の内容を変更した無線通信システムに関する。以下で説明する内容以外は第２の実施の形態に係る無線通信システムと同様である。
【０２１６】
図１７は、本発明の第３の実施の形態に係る無線通信システムにおけるハンドオーバ動作の一例およびゲートウェイ装置がハンドオーバ情報を取得する動作を示す図である。
【０２１７】
図１７を参照して、フェムトセルＦＣＡに存在し、フェムト基地局１０１Ａと通信中の無線端末装置２０２が図１７の矢印Ｒ１で示すように移動した場合、無線端末装置２０２は、フェムト基地局１０１Ａからフェムト基地局１０１Ｃへハンドオーバし、そして、フェムト基地局１０１Ｃからフェムト基地局１０１Ｄへハンドオーバする。また、フェムトセルＦＣＢに存在し、フェムト基地局１０１Ｂと通信中の無線端末装置２０２が図１７の矢印Ｒ２で示すように移動した場合、無線端末装置２０２は、フェムト基地局１０１Ｂからフェムト基地局１０１Ｃへハンドオーバし、そして、フェムト基地局１０１Ｃからフェムト基地局１０１Ａへハンドオーバする。また、フェムトセルＦＣＢに存在し、フェムト基地局１０１Ｂと通信中の無線端末装置２０２が図１７の矢印Ｒ３で示すように移動した場合、無線端末装置２０２は、フェムト基地局１０１Ｂからフェムト基地局１０１Ｃへハンドオーバし、そして、フェムト基地局１０１Ｃからフェムト基地局１０１Ｄへハンドオーバする。
【０２１８】
図１８は、本発明の第３の実施の形態に係るゲートウェイ装置が取得したハンドオーバ情報の一例を示す図である。
【０２１９】
図１８を参照して、ゲートウェイ装置２０３は、以下のようなハンドオーバ情報を取得する。すなわち、フェムト基地局１０１Ａとフェムト基地局１０１Ｄとの間をフェムト基地局１０１Ｃ経由で無線端末装置２０２がハンドオーバしたときの、無線端末装置２０２がフェムト基地局１０１Ｃへハンドオーバしてからフェムト基地局１０１Ａまたはフェムト基地局１０１Ｄへハンドオーバするまでの時間、すなわちフェムトセルＦＣＣにおける滞在時間の平均が２０秒である。
【０２２０】
また、フェムト基地局１０１Ａとフェムト基地局１０１Ｂとの間をフェムト基地局１０１Ｃ経由で無線端末装置２０２がハンドオーバしたときの、無線端末装置２０２がフェムト基地局１０１Ｃへハンドオーバしてからフェムト基地局１０１Ａまたはフェムト基地局１０１Ｂへハンドオーバするまでの時間、すなわちフェムトセルＦＣＣにおける滞在時間の平均が５秒である。
【０２２１】
また、フェムト基地局１０１Ｂとフェムト基地局１０１Ｄとの間をフェムト基地局１０１Ｃ経由で無線端末装置２０２がハンドオーバしたときの、無線端末装置２０２がフェムト基地局１０１Ｃへハンドオーバしてからフェムト基地局１０１Ｂまたはフェムト基地局１０１Ｄへハンドオーバするまでの時間、すなわちフェムトセルＦＣＣにおける滞在時間の平均が２秒である。
【０２２２】
これらの情報を用いて、ゲートウェイ装置２０３は、フェムト基地局１０１Ｃをフェムト基地局１０１Ａ，１０１Ｂ，１０１Ｄの隣接セル情報からそれぞれ削除すべきか否かを判断する。すなわち、フェムト基地局１０１Ａを対象フェムト基地局とする隣接セル情報については、フェムト基地局１０１Ａとフェムト基地局１０１Ｂとの間のハンドオーバにおけるフェムト基地局１０１Ｃでの滞在時間が５秒と短いが、フェムト基地局１０１Ａとフェムト基地局１０１Ｄとの間のハンドオーバにおけるフェムト基地局１０１Ｃでの滞在時間が２０秒と長いことから、フェムト基地局１０１Ｃを削除しない。
【０２２３】
また、ゲートウェイ装置２０３は、フェムト基地局１０１Ｄを対象フェムト基地局とする隣接セル情報については、フェムト基地局１０１Ｄとフェムト基地局１０１Ｂとの間のハンドオーバにおけるフェムト基地局１０１Ｃでの滞在時間が２秒と短いが、フェムト基地局１０１Ｄとフェムト基地局１０１Ａとの間のハンドオーバにおけるフェムト基地局１０１Ｃでの滞在時間が２０秒と長いことから、フェムト基地局１０１Ｃを削除しない。
【０２２４】
他方、ゲートウェイ装置２０３は、フェムト基地局１０１Ｂを対象フェムト基地局とする隣接セル情報については、フェムト基地局１０１Ｂとフェムト基地局１０１Ａとの間のハンドオーバにおけるフェムト基地局１０１Ｃでの滞在時間が５秒と短く、かつフェムト基地局１０１Ｂとフェムト基地局１０１Ｄとの間のハンドオーバにおけるフェムト基地局１０１Ｃでの滞在時間が２秒と短いことから、フェムト基地局１０１Ｃを削除する。
【０２２５】
このように、本発明の第３の実施の形態に係る無線通信システムでは、ゲートウェイ装置２０３におけるハンドオーバ情報取得部２１は、対象フェムト基地局以外の複数のフェムト基地局１０１のうちの第１のフェムト基地局および残りの複数の第２のフェムト基地局について、対象フェムト基地局と残りの複数の第２のフェムト基地局の各々との間を第１のフェムト基地局経由で無線端末装置２０２がハンドオーバしたときの、無線端末装置２０２が第１のフェムト基地局へハンドオーバしてから対象フェムト基地局および残りの複数の第２のフェムト基地局へそれぞれハンドオーバするまでの各滞在時間を示すハンドオーバ情報を取得する。たとえば、ハンドオーバ情報取得部２１は、このハンドオーバ情報を第１のフェムト基地局からの情報に基づいて取得する。
【０２２６】
図１７および図１８では、対象フェムト基地局がフェムト基地局１０１Ａ，１０１Ｂ，１０１Ｄであり、第１のフェムト基地局がフェムト基地局１０１Ｃである場合が一例として示されている。
【０２２７】
このように、隣接セル情報にどのフェムト基地局を含めるかの判断基準として、ハンドオーバ時に無線端末装置２０２が経由したフェムト基地局における無線端末装置２０２の滞在時間を用いることにより、適切な隣接セル情報を生成することができる。
【０２２８】
そして、隣接セル情報生成部２２は、対象フェムト基地局以外の複数のフェムト基地局の中から、第２のフェムト基地局のすべてについてハンドオーバ情報の示す滞在時間が所定値以下、図１８に示す例ではたとえば５秒以下となる第１のフェムト基地局を少なくとも除いた隣接セル情報を生成する。
【０２２９】
このような構成により、無線端末装置２０２がハンドオーバ動作において経由する必要のないフェムト基地局１０１を隣接セル情報から適切に削除することができる。
【０２３０】
図１９は、本発明の第３の実施の形態に係る無線通信システムにおけるセル配置の一例を示す図である。図２０は、図１９に示すセル配置における、意図しない圏外状態の発生を示す図である。
【０２３１】
図１９を参照して、無線端末装置２０２が矢印で示すようにフェムトセルＦＣＢからフェムトセルＦＣＣ経由でフェムトセルＦＣＡへ移動する場合には、無線端末装置２０２は、フェムト基地局１０１Ｂからフェムト基地局１０１Ａへフェムト基地局１０１Ｃを介してハンドオーバする。この場合、フェムトセルＦＣＡおよびフェムトセルＦＣＢ間の距離が短いため、無線端末装置２０２がフェムト基地局１０１Ｃへハンドオーバしてからフェムト基地局１０１Ａへハンドオーバするまでの滞在時間は短くなる。このため、図１７および図１８で説明したように、ゲートウェイ装置２０３は、フェムト基地局１０１Ｂを対象フェムト基地局とする隣接セル情報からフェムト基地局１０１Ｃを削除する。
【０２３２】
しかしながら、図１９に示すセル配置では、フェムトセルＦＣＢとフェムトセルＦＣＡとは実際には隣接していないことから、図２０で示すように、無線端末装置２０２が矢印の経路でフェムトセルＦＣＢからフェムトセルＦＣＡへ移動した場合、無線端末装置２０２がフェムト基地局１０１Ｂからフェムト基地局１０１Ａへ直接ハンドオーバすることができず、無線端末装置２０２は圏外状態になってしまう。
【０２３３】
そこで、本発明の第３の実施の形態に係るゲートウェイ装置２０３は、フェムトセルＦＣＢに存在し、フェムト基地局１０１Ｂと通信中の無線端末装置２０２がフェムト基地局１０１Ａと通信可能であるか否か、たとえばフェムト基地局１０１Ａから受信した無線信号のレベルが所定値以上であるか否かをハンドオーバ情報として取得する。
【０２３４】
すなわち、ハンドオーバ情報取得部２１は、対象フェムト基地局と通信する無線端末装置２０２が上記第２のフェムト基地局と通信可能か否かを示すハンドオーバ情報を無線端末装置２０２からの受信電力情報等に基づいて取得する。
【０２３５】
このように、ハンドオーバ動作履歴の情報に加えて、他の内容の情報をハンドオーバ情報として取得する構成により、より最適な隣接セル情報を生成することができる。
【０２３６】
図２１は、本発明の第３の実施の形態に係るゲートウェイ装置が隣接セル情報の最適化を行なう際の動作手順を示すフローチャートである。
【０２３７】
図２１を参照して、隣接セル情報生成部２２は、対象フェムト基地局以外の複数のフェムト基地局１０１の中から、第２のフェムト基地局のすべてについてハンドオーバ情報の示す滞在時間が所定値以下となり（ステップＳ７１でＹＥＳ）、かつ対象フェムト基地局と通信する無線端末装置２０２がすべての第２のフェムト基地局と通信可能となる場合（ステップＳ７２でＹＥＳ）における第１のフェムト基地局１０１を少なくとも除いた隣接セル情報を生成する（ステップＳ７３）。
【０２３８】
このような構成により、実際には隣接していないフェムトセルがあたかも隣接しているように認識され、圏外状態が発生してしまうことを防ぐことができる。
【０２３９】
なお、本発明の第３の実施の形態に係るゲートウェイ装置では、たとえばフェムト基地局１０１Ｂを対象フェムト基地局とする場合、すべての第２のフェムト基地局すなわちフェムト基地局１０１Ａ，１０１Ｄの両方についてハンドオーバ情報の示す滞在時間が所定値以下となる第１のフェムト基地局すなわちフェムト基地局１０１Ｃを少なくとも除いた隣接セル情報を生成する構成であるとしたが、これに限定するものではない。
【０２４０】
ハンドオーバ情報取得部２１が上記すべての第２のフェムト基地局のうち、一部の第２のフェムト基地局についての滞在時間をハンドオーバ情報として取得し、隣接セル情報生成部２２が、このハンドオーバ情報に基づいて第１のフェムト基地局を隣接セル情報から除くか否かを判断する構成であってもよい。
【０２４１】
このような構成により、各フェムト基地局の設置環境に応じて隣接セル情報からの第１のフェムト基地局の削除条件を調整することができる。
【０２４２】
ただし、本発明の第３の実施の形態に係るゲートウェイ装置のように、すべての第２のフェムト基地局に関するハンドオーバ情報を取得し、隣接セル情報生成部２２が、このハンドオーバ情報に基づいて第１のフェムト基地局を隣接セル情報から除くか否かを判断する構成により、ある一部のフェムト基地局をハンドオーバ先またはハンドオーバ元とする場合にハンドオーバの経路として必要となる第１のフェムト基地局を隣接セル情報から誤って削除することを防ぐことができる。
【０２４３】
また、同様に、ハンドオーバ情報取得部２１が、対象フェムト基地局と通信する無線端末装置２０２が第２のフェムト基地局と通信可能か否かを示すハンドオーバ情報を各第２のフェムト基地局の一部について取得し、隣接セル情報生成部２２が、このハンドオーバ情報に基づいて第１のフェムト基地局を隣接セル情報から除くか否かを判断する構成であってもよい。
【０２４４】
また、本発明の第１の実施の形態または第２の実施の形態に係る隣接セル情報の最適化と、本発明の第３の実施の形態に係る隣接セル情報の最適化とを組み合わせてもよい。すなわち、隣接セル情報にどのフェムト基地局を含めるかの判断基準として、無線端末装置２０２のハンドオーバ回数と、ハンドオーバ時に無線端末装置２０２が経由したフェムト基地局における無線端末装置２０２の滞在時間とを組み合わせることも可能である。さらに、隣接セル情報にどのフェムト基地局を含めるかの判断基準として、この組み合わせに、無線端末装置２０２が、ハンドオーバ先候補となるフェムト基地局１０１と通信可能か否かの情報を加えることも可能である。
【０２４５】
また、本発明の第３の実施の形態に係るゲートウェイ装置は、フェムト基地局１０１と別個に設けられる構成であるとしたが、これに限定するものではない。ゲートウェイ装置２０３が、無線通信システム３０１における各フェムト基地局１０１のうちの少なくとも１つに含まれる構成であってもよい。この場合、ゲートウェイ装置２０３を搭載するフェムト基地局１０１は、自己の形成するフェムトセルに存在する無線端末装置２０２、および他のフェムト基地局１０１からの情報に基づいてハンドオーバ情報を取得する。そして、ゲートウェイ装置２０３は、生成した隣接セル情報を、自己の形成するフェムトセルに存在する無線端末装置２０２、および他のフェムト基地局１０１へ通知する。
【０２４６】
また、本発明の第１〜第３の実施の形態に係るフェムト基地局と同様の動作を、マクロ基地局が行なうことも可能である。
【０２４７】
その他の構成および動作は第２の実施の形態に係る無線通信システムと同様であるため、ここでは詳細な説明を繰り返さない。
【０２４８】
次に、本発明の他の実施の形態について図面を用いて説明する。なお、図中同一または相当部分には同一符号を付してその説明は繰り返さない。
【０２４９】
＜第４の実施の形態＞
本実施の形態は、第１の実施の形態に係る無線通信システムと比べて隣接セル情報において順位付けを行なう無線通信システムに関する。以下で説明する内容以外は第１の実施の形態に係る無線通信システムと同様である。
【０２５０】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【０２５１】
たとえば、無線端末装置が無線基地局装置と通信しているときには、無線端末装置の移動先は無線基地局装置または上位装置が決定する。また、無線端末装置が無線基地局装置と通信していないときには、無線端末装置の移動先は無線端末装置が決定する。
【０２５２】
図２２は、本発明の第４の実施の形態に係るフェムト基地局のアクセスモードと接続可能な無線端末装置との関係を示す図である。
【０２５３】
図２２を参照して、本発明の第４の実施の形態に係るフェムト基地局は、３つのアクセスモードを有する。すなわち、クローズドアクセスモードでは、フェムト基地局と接続可能な無線端末装置は登録済みの無線端末装置のみである。また、オープンアクセスモードでは、フェムト基地局と接続可能な無線端末装置はすべての無線端末装置であり、通常のマクロ基地局と同様である。また、ハイブリッドモードでは、フェムト基地局と接続可能な無線端末装置はすべての無線端末装置である。ただし、ハイブリッドモードでは、メンバーすなわち登録されている無線端末装置は、ノンメンバーすなわち登録されていない無線端末装置と比べて、フェムト基地局の通信リソースの割り当ておよび課金等で優遇される場合がある。
【０２５４】
すなわち、本発明の第４の実施の形態に係るフェムト基地局は、すべての無線端末装置２０２に対して通信を許可するオープンアクセスモードで動作するか、無線端末装置２０２を登録することが可能であり、登録された無線端末装置２０２に対して通信を許可するクローズドアクセスモードで動作するか、または無線端末装置２０２を登録することが可能であり、登録された無線端末装置２０２および登録されていない無線端末装置２０２の両方に対して通信を許可するハイブリッドモードで動作するかを設定可能である。
【０２５５】
クローズドアクセスモードのセルにおいては、無線端末装置２０２が自立的に周辺セルを検出することが３ＧＰＰで規定されている。また、オープンアクセスモードのマクロセルにおいては、事業者が計画的に無線基地局装置を設置する場合には、周辺のマクロセルに関する情報も事業者が把握しており、無線基地局装置の設置時および保守時等に設定される。
【０２５６】
ところで、ユーザは、フェムト基地局を任意の場所に設置できることから、フェムト基地局が現在地を把握することは困難である。このため、フェムト基地局において、周辺セルの情報を得ることも困難である。
【０２５７】
前述のように、クローズドアクセスモードのセルにおける無線端末装置のフェムトセル検出方法および移動方法は３ＧＰＰで規定されている。しかしながら、マクロセルまたはフェムトセルから、マクロセルまたはオープンアクセスモードのフェムトセルへ無線端末装置が移動する場合には、移動元の無線基地局装置が移動先の無線基地局装置の情報を無線端末装置に通知する必要がある。
【０２５８】
ここで、フェムト基地局はユーザによって独自に使用場所が決められるため、フェムト基地局の移動および電源のオン／オフが起こり得る。これにより、次の２つが課題となる。すなわち、フェムト基地局が現在地を把握できないので、周辺に配置されたセルの情報をＯＡＭ機能（保守機能）によって取得することが困難である。また、無線基地局装置の周辺にフェムト基地局が存在する場合であってフェムト基地局の電源がオフされているときには、無線端末装置は当該フェムト基地局へ移動することができないので、フェムト基地局の電源のオン／オフを検出する必要が生じてしまう。
【０２５９】
なお、フェムト基地局がＧＰＳ（Global Positioning System）等を利用して現在地を特定できる場合には、フェムト基地局が事業者網に問い合わせを行ない、地理的に近いセルの情報を取得することも考えられるが、精度の問題から、正確な位置を特定することは困難である。
【０２６０】
［構成および基本動作］
図２３は、本発明の第４の実施の形態に係る無線通信システムにおける無線基地局装置の配置例を示す図である。
【０２６１】
図２３を参照して、無線通信システム３０１では、無線基地局装置５０１Ａ，５０１Ｃ，５０１Ｄがフェムト基地局であり、無線基地局装置５０１Ｂがマクロ基地局である。無線基地局装置５０１Ｂが形成するマクロセルＭＣＢ内に、複数のフェムト基地局が存在する状態を考える。
【０２６２】
無線基地局装置５０１Ａおよび無線基地局装置５０１Ｃがそれぞれ形成するフェムトセルＦＣＡ，ＦＣＣの各々の一部が重なり合っている。また、無線基地局装置５０１Ａおよび無線基地局装置５０１Ｄがそれぞれ形成するフェムトセルＦＣＡ，ＦＣＤの各々の一部が重なり合っている。
【０２６３】
本発明の第４の実施の形態に係る無線通信システムでは、無線基地局装置５０１Ａ，５０１Ｂ，５０１Ｃ，５０１Ｄが、それぞれ隣接セル処理装置として動作する。
【０２６４】
以下、無線基地局装置５０１Ａ，５０１Ｂ，５０１Ｃ，５０１Ｄの各々を無線基地局装置５０１と称する場合がある。
【０２６５】
図２４は、本発明の第４の実施の形態に係る無線基地局装置における信号処理部の構成を示す図である。
【０２６６】
図２４を参照して、信号処理部１０５は、受信信号処理部１０６と、送信信号処理部１０７とを含む。受信信号処理部１０６は、ハンドオーバ情報取得部３１と、隣接セル情報生成部３２とを含む。送信信号処理部１０７は、隣接セル情報送信部３３と、電力測定指示部３４とを含む。
【０２６７】
隣接セル情報生成部３２は、ハンドオーバ情報取得部３１によって取得されたハンドオーバ情報に基づいて、隣接セル情報を与える対象となる無線基地局装置（以下、対象基地局とも称する。）以外の無線通信システム３０１における複数の無線基地局装置５０１のうち、対象基地局の周辺に設置された１または複数の無線基地局装置５０１を示す隣接セル情報を生成する。本発明の第４の実施の形態に係る無線基地局装置では、対象基地局は自己の無線基地局装置５０１である。
【０２６８】
隣接セル情報送信部３３は、隣接セル情報生成部３２によって生成された隣接セル情報を自己の無線基地局装置５０１と通信可能な無線端末装置２０２、すなわち自己の無線基地局装置５０１によって形成されるセルに存在する無線端末装置２０２へ送信する。
【０２６９】
電力測定指示部３４は、他の無線基地局装置５０１から送信される無線信号の受信レベルを無線端末装置２０２に測定させるための測定開始要求を無線端末装置２０２へ送信する。
【０２７０】
［動作］
次に、本発明の第４の実施の形態に係る無線基地局装置が隣接セル情報を生成する際の動作について説明する。
【０２７１】
図２５は、本発明の第４の実施の形態に係る無線通信システムにおいて、無線基地局装置が隣接セル情報を生成するシーケンスの一例を示す図である。
【０２７２】
図２５を参照して、無線基地局装置５０１の起動時等、無線基地局装置５０１が隣接セル情報を有していない状態では、最初に無線端末装置２０２が当該無線基地局装置５０１とのＲＲＣコネクションを確立した時に、当該無線基地局装置５０１は、当該無線端末装置２０２に対して全周波数検索を指示する。ここで、全周波数検索とは、無線通信システムにおいて設定されたすべての種類の送信周波数について、各無線基地局装置５０１からの無線信号の受信レベルを測定することを意味する。
【０２７３】
そして、無線基地局装置５０１は、無線端末装置２０２からの測定結果の報告に基づいて隣接セル情報を生成し、図示しない記憶部に保存する。
【０２７４】
より詳細には、まず、無線基地局装置５０１Ａは、無線端末装置２０２の測定対象となる他の無線基地局装置を設定する（ステップＳ１０１）。
【０２７５】
次に、無線基地局装置５０１Ａは、設定した他の無線基地局装置から送信される無線信号の受信レベルを無線端末装置２０２に測定させるための測定開始要求を無線端末装置２０２へ送信する。この測定開始要求に、測定対象となる無線基地局装置の情報が含まれる（ステップＳ１０２）。
【０２７６】
次に、無線端末装置２０２は、無線基地局装置５０１Ａから測定開始要求を受信して、受信した測定開始要求の示す無線基地局装置から送信される無線信号の受信レベルを測定する（ステップＳ１０３）。
【０２７７】
次に、無線端末装置２０２は、この受信レベルの測定結果を示す測定結果通知を無線基地局装置５０１Ａへ送信する（ステップＳ１０４）。
【０２７８】
次に、無線基地局装置５０１Ａは、無線端末装置２０２から受信した測定結果通知に基づいて、初期の隣接セル情報を生成する（ステップＳ１０５）。
【０２７９】
なお、無線基地局装置５０１Ａは、起動時に限らず、一定期間ごとに最初にＲＲＣコネクションを確立した無線端末装置２０２に対して全周波数検索を指示してもよい。
【０２８０】
また、無線基地局装置５０１Ａがフェムト基地局であり、かつハイブリッドモードで動作する場合には、無線基地局装置５０１Ａは、たとえばノンメンバーの無線端末装置２０２がＲＲＣコネクションを確立する際に、当該無線端末装置２０２に対して全周波数検索を指示する。
【０２８１】
すなわち、電力測定指示部３４は、対象基地局がハイブリッドモードで動作する場合には、登録されていない無線端末装置２０２に対して、対象基地局以外の無線基地局装置５０１から送信される無線信号の受信レベルをすべての周波数において測定することを指示する。
【０２８２】
このような構成により、登録ユーザの所有する無線端末装置２０２の電力が消費されることを防ぐことができるため、適切な通信サービスを提供することができる。
【０２８３】
あるいは、電力測定指示部３４は、対象基地局がハイブリッドモードで動作する場合には、登録された無線端末装置２０２に対して、対象基地局以外の無線基地局装置５０１から送信される無線信号の受信レベルをすべての周波数において測定することを指示する構成であってもよい。
【０２８４】
このような構成により、無線端末装置２０２を即時に充電できる環境を有していない場合が多い非登録ユーザの所有する無線端末装置２０２の電力が消費されることを防ぐことができるため、適切な通信サービスを提供することができる。
【０２８５】
次に、図２５に示すシーケンス等によって生成した隣接セル情報の更新方法について説明する。
【０２８６】
無線基地局装置５０１は、図示しない記憶部に保存された初期の隣接セル情報が示す無線基地局装置のリストに対して、指標を用いて順位付けを行なう。すなわち、隣接セル情報生成部３２は、ハンドオーバ情報取得部３１によって取得されたハンドオーバ情報に基づいて、対象基地局以外の複数の無線基地局装置５０１を順位付けした隣接セル情報を生成する。
【０２８７】
たとえば、無線端末装置２０２のハンドオーバ動作において、無線基地局装置５０１は、上位装置２０５に対してハンドオーバ要求を送信する際に、この要求に含まれるハンドオーバ先の無線基地局装置を、図示しない記憶部に保存する。
【０２８８】
また、無線基地局装置５０１は、上位装置２０５からのハンドオーバ完了通知により、ハンドオーバの成功を認識し、この情報を図示しない記憶部に保存する。これにより、ハンドオーバ回数またはハンドオーバ成功率を順位決めの指標の１つとすることが可能となる。
【０２８９】
ここで、ハンドオーバ成功率は、ハンドオーバ完了通知数／ハンドオーバ要求数で求められる。
【０２９０】
図２６は、本発明の第４の実施の形態に係る無線通信システムにおいて、無線基地局装置がハンドオーバ情報を取得するシーケンスの一例を示す図である。
【０２９１】
図２６を参照して、まず、無線基地局装置５０１Ａは、無線端末装置２０２の測定対象となる他の無線基地局装置５０１を設定する（ステップＳ８１）。
【０２９２】
次に、無線基地局装置５０１Ａは、設定した他の無線基地局装置５０１から送信される無線信号の受信レベルを無線端末装置２０２に測定させるための測定開始要求を無線端末装置２０２へ送信する。この測定開始要求には、測定対象となる無線基地局装置５０１の情報が含まれる。たとえば、図２５に示すシーケンスによって生成した隣接セル情報が含まれ、また、各無線基地局装置５０１の送信周波数が含まれる（ステップＳ８２）。
【０２９３】
次に、無線端末装置２０２は、無線基地局装置５０１Ａから測定開始要求を受信して、受信した測定開始要求の示す無線基地局装置５０１から送信される無線信号の受信レベルを測定する（ステップＳ８３）。
【０２９４】
次に、無線端末装置２０２は、この受信レベルの測定結果を示す測定結果通知を無線基地局装置５０１Ａへ送信する。たとえば、無線端末装置２０２は、受信レベルの測定を定期的に行ない、無線基地局装置５０１Ａとの通信状態が悪くなった場合、および無線基地局装置５０１Ａ以外の他の無線基地局装置５０１との通信状態が良くなった場合に、測定結果通知を無線基地局装置５０１Ａへ送信する（ステップＳ８４）。
【０２９５】
次に、無線基地局装置５０１Ａは、無線端末装置２０２から受信した測定結果通知に基づいて、当該無線端末装置２０２がハンドオーバすべきか否かを判断し、ハンドオーバすべきであると判断すると、隣接セル情報を参照してたとえば無線基地局装置５０１Ｂをハンドオーバ先として決定し、無線基地局装置５０１Ｂを示すハンドオーバ要求を上位装置２０５へ送信する（ステップＳ８５）。
【０２９６】
そして、無線基地局装置５０１Ａは、ハンドオーバ先の情報を取得する、すなわち無線端末装置２０２の無線基地局装置５０１Ｂへのハンドオーバ試行を認識し、この情報に基づいてハンドオーバ情報を更新する（ステップＳ８６）。
【０２９７】
次に、上位装置２０５は、無線基地局装置５０１Ａからハンドオーバ要求を受信して、無線基地局装置５０１Ｂへ当該ハンドオーバ要求を送信する（ステップＳ８７）。
【０２９８】
次に、無線基地局装置５０１Ｂは、上位装置２０５からハンドオーバ要求を受信して、上位装置２０５へ当該ハンドオーバ要求に対するハンドオーバ応答を送信する（ステップＳ８８）。
【０２９９】
次に、上位装置２０５は、無線基地局装置５０１Ｂからハンドオーバ応答を受信して、無線基地局装置５０１Ａへハンドオーバ指示を送信する（ステップＳ８９）。
【０３００】
次に、無線基地局装置５０１Ａは、上位装置２０５からハンドオーバ指示を受信して、無線端末装置２０２へＲＲＣコネクション再確立指示を送信する（ステップＳ９０）。
【０３０１】
次に、無線基地局装置５０１Ａは、上位装置２０５へ自己の通信状態等を示す状態通知を送信する（ステップＳ９１）。
【０３０２】
次に、上位装置２０５は、無線基地局装置５０１Ａから状態通知を受信して、無線基地局装置５０１Ｂへ無線端末装置２０２との通信内容等を示す状態通知を送信する（ステップＳ９２）。
【０３０３】
また、無線端末装置２０２および無線基地局装置５０１Ｂ間でＲＲＣコネクションが確立されると、無線端末装置２０２は、無線基地局装置５０１ＢへＲＲＣコネクション確立通知を送信する（ステップＳ９３）。
【０３０４】
次に、無線基地局装置５０１Ｂは、無線端末装置２０２からＲＲＣコネクション確立通知を受信して、上位装置２０５へハンドオーバ完了通知を送信する（ステップＳ９４）。
【０３０５】
次に、上位装置２０５は、無線基地局装置５０１Ｂからハンドオーバ完了通知を受信して、端末情報解放指示を無線基地局装置５０１Ａへ送信する（ステップＳ９５）。
【０３０６】
次に、無線基地局装置５０１Ａは、上位装置２０５から端末情報解放指示を受信して、無線端末装置２０２に関する情報を解放し、上位装置２０５へ端末情報解放完了通知を送信する（ステップＳ９６）。
【０３０７】
そして、無線基地局装置５０１Ａは、ハンドオーバ結果の情報を取得する、すなわち無線端末装置２０２の無線基地局装置５０１Ｂへのハンドオーバ成功を認識し、この情報に基づいてハンドオーバ情報を更新する（ステップＳ９７）。
【０３０８】
次に、本発明の第４の実施の形態に係る無線基地局装置が隣接セル情報を更新する動作を説明する。
【０３０９】
再び図２３を参照して、無線通信システム３０１において、無線基地局装置５０１Ａと通信している無線端末装置２０２が無線基地局装置５０１Ａから離れる場合には、移動先としては無線基地局装置５０１Ｂ，５０１Ｃ，５０１Ｄが考えられる。
【０３１０】
ここでは、無線基地局装置５０１Ａが無線端末装置２０２に通知する測定対象の無線基地局装置すなわち移動先候補が３つである場合の更新方法の具体例を説明する。
【０３１１】
図２７は、本発明の第４の実施の形態に係る無線基地局装置が隣接セル情報を更新する動作を示す図である。
【０３１２】
図２７を参照して、まず、無線基地局装置５０１Ａでは、ある期間において、ハンドオーバが１２回試行されている。すなわち、無線基地局装置５０１Ａでは、無線基地局装置５０１Ａから無線基地局装置５０１Ｂへのハンドオーバが５回試行されて５回成功し、無線基地局装置５０１Ａから無線基地局装置５０１Ｃへのハンドオーバが６回試行されて２回成功し、無線基地局装置５０１Ａから無線基地局装置５０１Ｄへのハンドオーバが１回試行されて０回成功したことを示すハンドオーバ情報すなわちハンドオーバ履歴テーブルが得られている。
【０３１３】
また、このハンドオーバ履歴テーブルでは、無線基地局装置５０１Ａから無線基地局装置５０１Ｂへのハンドオーバの成功率が１．００であり、無線基地局装置５０１Ａから無線基地局装置５０１Ｃへのハンドオーバの成功率が０．３３であり、無線基地局装置５０１Ａから無線基地局装置５０１Ｄへのハンドオーバの成功率が０であることも示されている。
【０３１４】
また、無線基地局装置５０１Ａでは、無線基地局装置５０１Ｂが１位であり、無線基地局装置５０１Ｃが２位であり、無線基地局装置５０１Ｄが３位である隣接セル情報が得られている（図２７の（１））。
【０３１５】
この状態において、無線基地局装置５０１Ａの形成するフェムトセルＦＣＡに存在する無線端末装置２０２の無線基地局装置５０１Ｄへのハンドオーバが試みられるとする。
【０３１６】
無線基地局装置５０１Ａが無線基地局装置５０１Ｄに対してハンドオーバ要求を送信すると、無線基地局装置５０１Ａのハンドオーバ履歴テーブルにおける無線基地局装置５０１Ｄへのハンドオーバ試行回数が２に更新される（図２７の（２））。
【０３１７】
そして、無線基地局装置５０１Ａは、無線基地局装置５０１Ｄからハンドオーバ完了通知を受信すると、ハンドオーバ履歴テーブルにおいて無線基地局装置５０１Ｄへのハンドオーバ成功回数を１に変更し、ハンドオーバ成功率を算出して０．５０に変更する。
【０３１８】
これにより、ハンドオーバ成功率を順位決めの指標とする場合には、隣接セル情報において、無線基地局装置５０１Ｄが無線基地局装置５０１Ｃより上位となる。すなわち、無線基地局装置５０１Ａは、無線基地局装置５０１Ｂが１位であり、無線基地局装置５０１Ｄが２位であり、無線基地局装置５０１Ｃが３位である隣接セル情報に更新する（図２７の（３））。
【０３１９】
一方、ハンドオーバ成功数を順位決めの指標とする場合には、隣接セル情報における無線基地局装置の順位に変更はない。
【０３２０】
そして、無線基地局装置５０１Ａは、隣接セル情報を更新した場合には、たとえば、更新した隣接セル情報を各無線端末装置２０２に報知する。ここで、無線基地局装置５０１Ａは、たとえば順位付けした無線基地局装置のうち、上位からＮ個（Ｎは１以上の整数）を隣接セル情報として無線端末装置２０２に報知する。
【０３２１】
具体的には、無線端末装置２０２に通知する隣接セル情報に登録可能な無線基地局装置が２つと限定されている場合であってハンドオーバ成功率を順位決めの指標とするときには、無線基地局装置５０１Ａは、無線基地局装置５０１Ｂが１位であり、無線基地局装置５０１Ｄが２位であることを示す隣接セル情報を各無線端末装置２０２に通知する。また、無線端末装置２０２に通知する隣接セル情報に登録可能な無線基地局装置が２つと限定されている場合であってハンドオーバ成功数を順位決めの指標とするときには、無線基地局装置５０１Ａは、無線基地局装置５０１Ｂが１位であり、無線基地局装置５０１Ｃが２位であることを示す隣接セル情報を各無線端末装置２０２に通知する。
【０３２２】
図２８は、本発明の第４の実施の形態に係る無線基地局装置が隣接セル情報を更新する動作の他の例を示す図である。
【０３２３】
図２８を参照して、まず、無線基地局装置５０１Ａでは、図２７の（３）と同じ内容のハンドオーバ履歴テーブルおよび隣接セル情報が得られている（図２８の（１））。
【０３２４】
この状態において、無線基地局装置５０１Ａの形成するフェムトセルＦＣＡに存在する無線端末装置２０２の無線基地局装置５０１Ｃへのハンドオーバが試みられるとする。
【０３２５】
すなわち、無線基地局装置５０１Ａが無線基地局装置５０１Ｃに対してハンドオーバ要求を送信すると、無線基地局装置５０１Ａのハンドオーバ履歴テーブルにおける無線基地局装置５０１Ｃへのハンドオーバ試行回数が７に更新される（図２８の（２））。
【０３２６】
その後、無線基地局装置５０１Ａは、このハンドオーバが失敗し、無線基地局装置５０１Ｃからハンドオーバ失敗通知を受信すると、ハンドオーバ履歴テーブルにおいて無線基地局装置５０１Ｃへのハンドオーバ成功回数は２のままとし、ハンドオーバ成功率を算出して０．２９に変更する。このとき、ハンドオーバ成功率を順位決めの指標とする場合およびハンドオーバ成功数を順位決めの指標とする場合のいずれでも、隣接セル情報における順位に変更はない（図２８の（３））。
【０３２７】
なお、無線基地局装置５０１Ａにおいてハンドオーバ元を認識することが可能である場合には、ハンドオーバ先の情報に限らず、ハンドオーバ元の情報を用いて隣接セル情報を生成してもよい。
【０３２８】
また、無線基地局装置５０１が新規基地局を発見した場合には、当該無線基地局装置５０１は、一定期間もしくは新規基地局へのハンドオーバ試行回数が所定値に達するまで、新規基地局を隣接セル情報に加え続け、この隣接セル情報を無線端末装置２０２に通知してもよい。この場合、無線基地局装置５０１は、隣接セル情報において既にリストされている無線基地局装置はそのまま残し、隣接セル情報にリストする基地局数を一時的に増やしてもよい。
【０３２９】
また、ハンドオーバ情報取得部３１は、現在から過去の一定期間における無線端末装置２０２のハンドオーバ動作履歴を示すハンドオーバ情報を取得する構成であってもよい。すなわち、無線基地局装置５０１は、現在から過去の一定期間におけるハンドオーバ動作履歴に基づいて隣接セル情報を生成してもよい。
【０３３０】
たとえば、無線基地局装置５０１は、現在時刻から１日前までの期間におけるハンドオーバ動作履歴に基づいて隣接セル情報を生成してもよい。また、無線基地局装置５０１は、ハンドオーバの所定回数分の履歴に基づいて隣接セル情報を生成してもよい。たとえば、無線基地局装置５０１は、過去の最新３０回分のハンドオーバの試行履歴に基づいて隣接セル情報を生成してもよい。
【０３３１】
このような構成により、たとえば電源がオフになった無線基地局装置５０１の順位がいつまでも高いままになってしまうことを防ぐことができる。
【０３３２】
また、ハンドオーバ情報取得部３１は、対象基地局と対象基地局以外の複数の無線基地局装置の各々との間における最新の一定回数分の無線端末装置２０２のハンドオーバ動作履歴を示すハンドオーバ情報を取得する構成であってもよい。すなわち、無線基地局装置５０１は、現在から過去の一定回数分のハンドオーバ動作履歴に基づいて隣接セル情報を生成してもよい。
【０３３３】
具体例として、無線基地局装置５０１Ａでは、最新の３０回分の無線端末装置２０２のハンドオーバ動作履歴を示すハンドオーバ情報が得られており、無線基地局装置５０１Ａから無線基地局装置５０１Ｂへのハンドオーバ成功回数が１５であり、無線基地局装置５０１Ａから無線基地局装置５０１Ｃへのハンドオーバ成功回数が５であり、無線基地局装置５０１Ａから無線基地局装置５０１Ｃへのハンドオーバ成功回数が１０であるとする。この場合、無線基地局装置５０１Ａは、無線基地局装置５０１Ｂが１位であり、無線基地局装置５０１Ｄが２位であり、無線基地局装置５０１Ｃが３位である隣接セル情報を生成する。
【０３３４】
また、無線基地局装置５０１は、本発明の第１〜第３の実施の形態に係る無線通信システムと同様に、現在から過去の一定回数分のハンドオーバ動作履歴に基づいて、対象基地局以外の複数の無線基地局装置５０１の中から、ハンドオーバ成功数が所定値以下となる無線基地局装置５０１を少なくとも除いた隣接セル情報を生成する構成であってもよい。
【０３３５】
このような構成により、たとえば電源がオフになった無線基地局装置５０１の順位がいつまでも高いままになってしまうことを防ぐことができる。
【０３３６】
また、無線基地局装置５０１は、ハイブリッドモードで動作する場合には、メンバー／ノンメンバーの別に応じた重みづけを行なってハンドオーバ試行数およびハンドオーバ成功数をカウントしてもよい。すなわち、隣接セル情報生成部３２は、対象基地局がハイブリッドモードで動作する場合には、登録された無線端末装置２０２のハンドオーバ情報および登録されていない無線端末装置２０２のハンドオーバ情報を重み付けし、重み付けした結果に基づいて隣接セル情報を生成する。
【０３３７】
このような構成により、登録された無線端末装置２０２および非登録の無線端末装置２０２の別に応じた適切な隣接セル情報を生成することができる。
【０３３８】
以上のように、本発明の第４の実施の形態に係る無線通信システムでは、隣接セル情報生成部３２は、ハンドオーバ情報取得部３１によって取得されたハンドオーバ情報に基づいて、対象基地局以外の複数の無線基地局装置５０１を順位付けし、順位付けの結果に基づいた隣接セル情報を生成する。
【０３３９】
このような構成により、本発明の第１〜第３の実施の形態に係る隣接セル処理装置と比べて、詳細な隣接セル情報を生成し、無線通信システムにおける動作のさらなる効率化を図ることができる。たとえば、無線基地局装置５０１は、順位付け結果において上位の無線基地局装置を優先的にハンドオーバ先として選択することにより、ハンドオーバの成功率を高めることができる。
【０３４０】
また、本発明の第４の実施の形態に係る無線通信システムでは、隣接セル情報生成部３２は、順位付けした複数の無線基地局装置５０１のうち、上位からＮ個（Ｎは１以上の整数）の無線基地局装置を示す隣接セル情報を生成する。
【０３４１】
このような構成により、たとえば無線端末装置２０２に通知する隣接セル情報に含めることができる無線基地局装置の数に制限がある場合において、上位Ｎ個の無線基地局装置を隣接セル情報に含めることで、適切な隣接セル情報を無線端末装置２０２に通知することが可能となる。
【０３４２】
また、本発明の第４の実施の形態に係る無線通信システムでは、隣接セル情報生成部３２は、順位付けした無線基地局装置５０１の順位をさらに示す隣接セル情報を生成する。
【０３４３】
このような構成により、さらに詳細な隣接セル情報を生成し、無線通信システムにおける動作のさらなる効率化を図ることができる。たとえば、無線端末装置２０２は、隣接セル情報における無線基地局装置の順位に従い、測定順序の決定、および測定対象の無線基地局装置の絞り込み等を行ない、効率的な測定動作を行なうことができる。
【０３４４】
また、本発明の第４の実施の形態に係る無線通信システムでは、隣接セル情報生成部３２は、対象基地局と通信する無線端末装置２０２が、対象基地局以外の無線基地局装置５０１から送信される無線信号の受信レベルをすべての周波数について測定した結果に基づいて、隣接セル情報の初期情報を生成する。
【０３４５】
このような構成により、適切な隣接セル情報を早期に構築することが可能となり、無線通信システム３０１における動作の効率化を早期に実現することができる。
【０３４６】
また、本発明の第４の実施の形態に係る無線通信システムにおける複数の無線基地局装置５０１のうちの少なくともいずれかはフェムト基地局である。
【０３４７】
このように、無線基地局装置の移動および電源のオン／オフが頻繁に起こる無線通信システムにおいて適切な隣接セル情報を生成することにより、無線通信システムにおける動作の効率化を図るという効果をより顕著に得ることができる。
【０３４８】
また、本発明の第４の実施の形態に係る無線通信システムでは、ハンドオーバ情報取得部３１は、対象基地局と対象基地局以外の複数の無線基地局装置５０１の各々との間における無線端末装置２０２のハンドオーバの成功率を示すハンドオーバ情報を取得する。
【０３４９】
このように、隣接セル情報にどの無線基地局装置を含めるか、および無線基地局装置の順位付けの判断基準としてハンドオーバ成功率を用いることにより、適切な隣接セル情報を生成することができる。
【０３５０】
また、このハンドオーバ成功率を、本発明の第１〜第３の実施の形態に係る無線通信システムにおいてハンドオーバ回数の代わりに用いてもよい。すなわち、隣接セル情報生成部３２は、対象基地局以外の複数の無線基地局装置５０１の中から、ハンドオーバ情報の示すハンドオーバの成功率が所定値以下となる無線基地局装置５０１を少なくとも除いた隣接セル情報を生成する。
【０３５１】
このような構成により、実際にハンドオーバが成功した実績の少ない無線基地局装置５０１を隣接セル情報から適切に削除することができる。
【０３５２】
また、本発明の第４の実施の形態に係る無線通信システムでは、隣接セル情報生成部３２は、ハンドオーバ情報取得部３１によって取得されたハンドオーバ情報の示すハンドオーバの成功率が大きい無線基地局装置５０１の順位を、ハンドオーバの成功率が小さい無線基地局装置５０１よりも上げた隣接セル情報を生成する。
【０３５３】
このような構成により、実際にハンドオーバ先として選択された実績に応じて無線基地局装置５０１の順位付けを適切に行なうことができる。
【０３５４】
また、本発明の第４の実施の形態に係る無線通信システムでは、隣接セル情報生成部３２は、ハンドオーバ情報取得部３１によって取得されたハンドオーバ情報の示すハンドオーバの成功回数が多い無線基地局装置５０１の順位を、ハンドオーバの成功回数が少ない無線基地局装置５０１よりも上げた隣接セル情報を生成する。
【０３５５】
このような構成により、実際にハンドオーバが成功した実績に応じて無線基地局装置５０１の順位付けを適切に行なうことができる。
【０３５６】
なお、本発明の第４の実施の形態に係る無線通信システムでは、隣接セル情報生成部３２は、たとえば図２７のように各無線基地局装置５０１の順位を示す隣接セル情報を生成する構成であるとしたが、これに限定するものではない。隣接セル情報において各無線基地局装置５０１の順位を示すことは必須ではなく、たとえば、隣接セル情報生成部３２が、順位付けした複数の無線基地局装置５０１のうち、上位からＮ個（Ｎは１以上の整数）の無線基地局装置を示す隣接セル情報を生成する場合には、隣接セル情報において各無線基地局装置５０１の順位を示す必要がないと考えられる。
【０３５７】
また、本発明の第４の実施の形態に係る無線基地局装置では、隣接セル情報生成部３２は、対象基地局と通信する無線端末装置２０２が、対象基地局以外の無線基地局装置５０１から送信される無線信号の受信レベルをすべての周波数について測定した結果に基づいて、隣接セル情報の初期情報を生成する構成であるとしたが、これに限定するものではない。無線通信システムにおける無線基地局装置５０１の送信周波数を全種類測定する構成に限らず、それらの一部である複数の周波数を測定する構成であってもよい。
【０３５８】
また、本発明の第１〜第４の実施の形態に係る無線通信システムでは、隣接セル情報生成部は、ハンドオーバ情報取得部によって取得されたハンドオーバ情報に基づいて、対象基地局以外の複数の無線基地局装置のうち、対象基地局の周辺に設置された１または複数の無線基地局装置を示す隣接セル情報を生成する構成であるとしたが、これに限定するものではない。
【０３５９】
隣接セル情報生成部は、無線端末装置のハンドオーバ動作履歴を示すハンドオーバ情報に加えて、無線基地局装置から送信される無線信号の測定結果を示す測定情報、および無線基地局装置の属性を示す属性情報の組み合わせに基づいて隣接セル情報を生成する構成であってもよい。測定情報としては、たとえば、受信レベル、および無線基地局装置の存在を検出した回数または検出率が考えられる。また、属性情報としては、たとえば、無線基地局装置がフェムト基地局であるかマクロ基地局であるかの情報が考えられる。
【０３６０】
また、本発明の第４の実施の形態に係る無線基地局装置が、本発明の第１の実施の形態に係るフェムト基地局と同様のハンドオーバ情報を取得し、隣接セル情報における無線基地局装置の順位付けを行なう構成であってもよい。
【０３６１】
また、本発明の第２および第３の実施の形態に係るゲートウェイ装置と同様に、本発明の第４の実施の形態において、無線基地局装置５０１の代わりに、ゲートウェイ装置２０３または上位装置２０５が隣接セル処理装置として動作する構成であってもよい。
【０３６２】
また、無線基地局装置が複数のセクタを有している場合、すなわち１つのセルが複数のセクタに分割されている場合には、隣接セル情報において１つのセクタを１つの無線基地局装置として扱えばよく、本発明は、このような場合にも適用される。
【０３６３】
その他の構成および動作は第１の実施の形態に係る無線通信システムと同様であるため、ここでは詳細な説明を繰り返さない。
【０３６４】
次に、本発明の他の実施の形態について図面を用いて説明する。なお、図中同一または相当部分には同一符号を付してその説明は繰り返さない。
【０３６５】
＜第５の実施の形態＞
本実施の形態は、第４の実施の形態に係る無線通信システムと比べて無線基地局装置の代わりにゲートウェイ装置が隣接セル処理装置として動作し、かつハンドオーバ情報の内容を変更した無線通信システムに関する。以下で説明する内容以外は第４の実施の形態に係る無線通信システムと同様である。
【０３６６】
図２９は、本発明の第５の実施の形態に係るゲートウェイ装置が取得したハンドオーバ情報の一例を示す図である。
【０３６７】
図２９を参照して、ゲートウェイ装置２０３は、以下のようなハンドオーバ情報を取得する。すなわち、無線基地局装置５０１Ａと無線基地局装置５０１Ｃとの間を無線基地局装置５０１Ｂ経由で無線端末装置２０２がハンドオーバしたときの、無線端末装置２０２が無線基地局装置５０１Ｂへハンドオーバしてから無線基地局装置５０１Ａまたは無線基地局装置５０１Ｃへハンドオーバするまでの時間、すなわち無線基地局装置５０１Ｂの形成するセルにおける滞在時間の平均が２０秒である。
【０３６８】
また、無線基地局装置５０１Ａと無線基地局装置５０１Ｄとの間を無線基地局装置５０１Ｂ経由で無線端末装置２０２がハンドオーバしたときの、無線端末装置２０２が無線基地局装置５０１Ｂへハンドオーバしてから無線基地局装置５０１Ａまたは無線基地局装置５０１Ｄへハンドオーバするまでの時間、すなわち無線基地局装置５０１Ｂの形成するセルにおける滞在時間の平均が６秒である。
【０３６９】
また、無線基地局装置５０１Ａと無線基地局装置５０１Ｂとの間を無線基地局装置５０１Ｃ経由で無線端末装置２０２がハンドオーバしたときの、無線端末装置２０２が無線基地局装置５０１Ｃへハンドオーバしてから無線基地局装置５０１Ａまたは無線基地局装置５０１Ｂへハンドオーバするまでの時間、すなわち無線基地局装置５０１Ｃの形成するセルにおける滞在時間の平均が２秒である。
【０３７０】
また、無線基地局装置５０１Ａと無線基地局装置５０１Ｄとの間を無線基地局装置５０１Ｃ経由で無線端末装置２０２がハンドオーバしたときの、無線端末装置２０２が無線基地局装置５０１Ｃへハンドオーバしてから無線基地局装置５０１Ａまたは無線基地局装置５０１Ｄへハンドオーバするまでの時間、すなわち無線基地局装置５０１Ｃの形成するセルにおける滞在時間の平均が２０秒である。
【０３７１】
また、無線基地局装置５０１Ａと無線基地局装置５０１Ｂとの間を無線基地局装置５０１Ｄ経由で無線端末装置２０２がハンドオーバしたときの、無線端末装置２０２が無線基地局装置５０１Ｄへハンドオーバしてから無線基地局装置５０１Ａまたは無線基地局装置５０１Ｂへハンドオーバするまでの時間、すなわち無線基地局装置５０１Ｄの形成するセルにおける滞在時間の平均が８秒である。
【０３７２】
また、無線基地局装置５０１Ａと無線基地局装置５０１Ｃとの間を無線基地局装置５０１Ｄ経由で無線端末装置２０２がハンドオーバしたときの、無線端末装置２０２が無線基地局装置５０１Ｄへハンドオーバしてから無線基地局装置５０１Ａまたは無線基地局装置５０１Ｃへハンドオーバするまでの時間、すなわち無線基地局装置５０１Ｄの形成するセルＦＣＤにおける滞在時間の平均が４秒である。
【０３７３】
図３０は、本発明の第５の実施の形態に係るゲートウェイ装置が生成する隣接セル情報の一例を示す図である。
【０３７４】
図３０を参照して、図２９に示すようなハンドオーバ情報を用いて、ゲートウェイ装置２０３は、無線基地局装置５０１Ｂ，５０１Ｃ，５０１Ｄの順位付けを行なう。すなわち、無線基地局装置５０１Ａを始点または終点とした無線基地局装置５０１Ｂを経由するハンドオーバにおいて、無線基地局装置５０１Ｂでの滞在時間の平均は（２０秒＋６秒）／２＝１３秒であり、無線基地局装置５０１Ａを始点または終点とした無線基地局装置５０１Ｃを経由するハンドオーバにおいて、無線基地局装置５０１Ｃでの滞在時間の平均は（２秒＋２０秒）／２＝１１秒であり、無線基地局装置５０１Ａを始点または終点とした無線基地局装置５０１Ｄを経由するハンドオーバにおいて、無線基地局装置５０１Ｄでの滞在時間の平均は（８秒＋４秒）／２＝６秒である。ゲートウェイ装置２０３は、このような各平均時間を算出し、平均時間の最も長い無線基地局装置５０１Ｂを１位とし、次に平均時間の長い無線基地局装置５０１Ｃを２位とし、平均時間の最も短い無線基地局装置５０１Ｄを３位とする。そして、ゲートウェイ装置２０３は、順位付けした無線基地局装置のうち、たとえば、最下位の無線基地局装置５０１Ｄを除いた、上位２つの無線基地局装置５０１Ｂ，５０１Ｃを示す隣接セル情報を生成する。
【０３７５】
このように、本発明の第５の実施の形態に係る無線通信システムでは、ゲートウェイ装置２０３におけるハンドオーバ情報取得部３１は、対象基地局以外の複数の無線基地局装置５０１のうちの第１の無線基地局装置および残りの複数の第２の無線基地局装置について、対象基地局と残りの複数の第２の無線基地局装置の各々との間を第１の無線基地局装置経由で無線端末装置２０２がハンドオーバしたときの、無線端末装置２０２が第１の無線基地局装置へハンドオーバしてから対象基地局および残りの複数の第２の無線基地局装置へそれぞれハンドオーバするまでの各滞在時間を示すハンドオーバ情報を取得する。たとえば、ハンドオーバ情報取得部３１は、このハンドオーバ情報を第１の無線基地局装置からの情報に基づいて取得する。
【０３７６】
図２９および図３０では、対象基地局が無線基地局装置５０１Ａであり、第１の無線基地局装置が無線基地局装置５０１Ｂ，５０１Ｃ，５０１Ｄである場合が一例として示されている。
【０３７７】
このように、隣接セル情報における無線基地局装置の順位付けの判断基準として、ハンドオーバ時に無線端末装置２０２が経由した無線基地局装置における無線端末装置２０２の滞在時間を用いることにより、適切な隣接セル情報を生成することができる。
【０３７８】
そして、隣接セル情報生成部３２は、対象基地局以外の複数の無線基地局装置のうち、対象基地局の周辺に配置された１または複数の無線基地局装置を順位付けし、かつすべての第２の無線基地局装置に対応するハンドオーバ情報の示す滞在時間の平均が長い無線基地局装置の順位を、滞在時間の平均が短い無線基地局装置よりも上げた隣接セル情報を生成する。
【０３７９】
このような構成により、無線端末装置２０２がハンドオーバ動作において経由する必要性の高低に応じて無線基地局装置５０１の順位付けを適切に行なうことができる。
【０３８０】
なお、本発明の第５の実施の形態に係るゲートウェイ装置では、本発明の第３の実施の形態に係るゲートウェイ装置と同様に、ハンドオーバ情報取得部が、対象基地局と通信する無線端末装置２０２が上記第２の無線基地局装置と通信可能か否かを示すハンドオーバ情報を無線端末装置２０２からの受信電力情報等に基づいて取得する構成であってもよい。
【０３８１】
このように、ハンドオーバ動作履歴の情報に加えて、他の内容の情報をハンドオーバ情報として取得する構成により、より最適な隣接セル情報を生成することができる。すなわち、実際には隣接していないセルがあたかも隣接しているように認識され、圏外状態が発生してしまうことを防ぐことができる。
【０３８２】
なお、本発明の第５の実施の形態に係るゲートウェイ装置では、たとえば無線基地局装置５０１Ａを対象基地局とする場合、すべての第２の無線基地局装置に対応するハンドオーバ情報の示す滞在時間の平均が長い無線基地局装置の順位を、滞在時間の平均が短い無線基地局装置よりも上げた隣接セル情報を生成する構成であるとしたが、これに限定するものではない。
【０３８３】
ハンドオーバ情報取得部３１が上記すべての第２の無線基地局装置のうち、一部の第２の無線基地局装置についての滞在時間をハンドオーバ情報として取得し、隣接セル情報生成部３２が、このハンドオーバ情報に基づいて第１の無線基地局装置の順位付けを行なう構成であってもよい。
【０３８４】
このような構成により、各無線基地局装置の設置環境に応じて隣接セル情報における無線基地局装置５０１の順位付けの判断基準を調整することができる。
【０３８５】
ただし、本発明の第５の実施の形態に係るゲートウェイ装置のように、すべての第２の無線基地局装置に関するハンドオーバ情報を取得し、隣接セル情報生成部３２が、このハンドオーバ情報に基づいて第１の無線基地局装置の順位付けを行なう構成により、ある一部の無線基地局装置をハンドオーバ先またはハンドオーバ元とする場合にハンドオーバの経路として必要となる第１の無線基地局装置を、隣接セル情報において誤って下位にしてしまうことを防ぐことができる。
【０３８６】
また、同様に、ハンドオーバ情報取得部３１が、対象基地局と通信する無線端末装置２０２が第２の無線基地局装置と通信可能か否かを示すハンドオーバ情報を各第２の無線基地局装置の一部について取得し、隣接セル情報生成部３２が、このハンドオーバ情報に基づいて第１の無線基地局装置の順位付けを行なう構成であってもよい。
【０３８７】
また、本発明の第４の実施の形態に係る隣接セル情報の最適化と、本発明の第５の実施の形態に係る隣接セル情報の最適化とを組み合わせてもよい。すなわち、隣接セル情報における無線基地局装置の順位付けの判断基準として、無線端末装置２０２のハンドオーバ回数またはハンドオーバ成功率と、ハンドオーバ時に無線端末装置２０２が経由した無線基地局装置における無線端末装置２０２の滞在時間とを組み合わせることも可能である。さらに、隣接セル情報における無線基地局装置の順位付けの判断基準として、この組み合わせに、無線端末装置２０２が、ハンドオーバ先候補となる無線基地局装置５０１と通信可能か否かの情報を加えることも可能である。
【０３８８】
また、本発明の第５の実施の形態に係るゲートウェイ装置では、隣接セル情報における無線基地局装置の順位付けの判断基準として、ハンドオーバ時に無線端末装置２０２が経由した無線基地局装置における無線端末装置２０２の滞在時間を用いる構成であるとしたが、これに限定するものではない。隣接セル情報における無線基地局装置の順位付けの判断基準として、ハンドオーバ回数またはハンドオーバ成功率を用いる構成であってもよい。
【０３８９】
たとえば、本発明の第５の実施の形態に係るゲートウェイ装置において、本発明の第２の実施の形態に係るゲートウェイ装置と同様に、ハンドオーバ情報取得部３１は、対象基地局から対象基地局以外の複数の無線基地局装置５０１への無線端末装置２０２のハンドオーバ回数またはハンドオーバ成功率、および対象基地局以外の複数の無線基地局装置５０１から対象基地局への無線端末装置２０２のハンドオーバ回数またはハンドオーバ成功率を示すハンドオーバ情報を取得する構成であってもよい。この場合、隣接セル情報生成部３２は、２つの無線基地局装置５０１間における双方向のハンドオーバ回数またはハンドオーバ成功率に基づいて、無線基地局装置５０１の順位付けを行なう。このような構成により、より最適な隣接セル情報を生成することができる。
【０３９０】
また、さらにこの場合、本発明の第５の実施の形態に係るゲートウェイ装置が、無線通信システム３０１における各無線基地局装置５０１のうちの少なくとも１つに含まれる構成であってもよい。この場合、ゲートウェイ装置２０３を搭載する無線基地局装置５０１は、自己の形成するセルに存在する無線端末装置２０２、および他の無線基地局装置５０１からの情報に基づいてハンドオーバ情報を取得する。そして、ゲートウェイ装置２０３は、生成した隣接セル情報を、自己の形成するセルに存在する無線端末装置２０２、および他の無線基地局装置５０１へ通知する。
【０３９１】
その他の構成および動作は第４の実施の形態に係る無線通信システムと同様であるため、ここでは詳細な説明を繰り返さない。
【０３９２】
なお、本発明の第１〜第４の実施の形態では、隣接セル情報生成部は、無線端末装置２０２のハンドオーバ動作履歴に基づいて隣接セル情報を生成する構成であるとしたが、これに限定するものではない。無線基地局装置と通信中の無線端末装置２０２が行なう基地局間移動（セル間移動）動作であるハンドオーバに限らず、アイドル状態の無線端末装置２０２が行なう基地局間移動（セル間移動）動作についても、本発明は適用される。
【０３９３】
この場合、無線基地局装置は、ハンドオーバ情報取得部の代わりに移動情報取得部を備え、移動情報取得部は、無線端末装置２０２の移動動作履歴を示す移動情報を、無線端末装置２０２からの情報すなわち移動完了通知に基づいて取得する。そして、隣接セル情報生成部は、移動情報取得部によって取得された移動情報に基づいて、対象フェムト基地局以外の複数のフェムト基地局１０１のうち、対象フェムト基地局の周辺に設置された１または複数のフェムト基地局１０１を示す隣接セル情報を生成する。すなわち、本発明の第１〜第４の実施の形態において、「ハンドオーバ」を「移動」に置き換えた構成および動作についても、本発明は適用される。
【０３９４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０３９５】
１１，２１  ハンドオーバ情報取得部
１２，２２  隣接セル情報生成部
１３，２３  隣接セル情報送信部
３１  ハンドオーバ情報取得部
３２  隣接セル情報生成部
３３  隣接セル情報送信部
３４  電力測定指示部
８１  基地局側送受信部
８２  データ処理部
８３  コアネットワーク側送受信部
９１  アンテナ
９２  サーキュレータ
９３  無線受信部
９４  無線送信部
９５  信号処理部
９６  受信信号処理部
９７  送信信号処理部
１０１，１０１Ａ，１０１Ｂ，１０１Ｃ，１０１Ｄ  フェムト基地局（無線基地局装置）
１０５  信号処理部
１０６  受信信号処理部
２０１  マクロ基地局
２０２  無線端末装置
２０３  ゲートウェイ装置
３０１  無線通信システム
５０１，５０１Ａ，５０１Ｂ，５０１Ｃ，５０１Ｄ  無線基地局装置
ＦＣＡ，ＦＣＢ，ＦＣＣ，ＦＣＤ  フェムトセル
ＭＣ  マクロセル
【図１】
0005594469.tif 000002
【図２】
0005594469.tif 000003
【図３】
0005594469.tif 000004
【図４】
0005594469.tif 000005
【図５】
0005594469.tif 000006
【図６】
0005594469.tif 000007
【図７】
0005594469.tif 000008
【図８】
0005594469.tif 000009
【図９】
0005594469.tif 000010
【図１０】
0005594469.tif 000011
【図１１】
0005594469.tif 000012
【図１２】
0005594469.tif 000013
【図１３】
0005594469.tif 000014
【図１４】
0005594469.tif 000015
【図１５】
0005594469.tif 000016
【図１６】
0005594469.tif 000017
【図１７】
0005594469.tif 000018
【図１８】
0005594469.tif 000019
【図１９】
0005594469.tif 000020
【図２０】
0005594469.tif 000021
【図２１】
0005594469.tif 000022
【図２２】
0005594469.tif 000023
【図２３】
0005594469.tif 000024
【図２４】
0005594469.tif 000025
【図２５】
0005594469.tif 000026
【図２６】
0005594469.tif 000027
【図２７】
0005594469.tif 000028
【図２８】
0005594469.tif 000029
【図２９】
0005594469.tif 000030
【図３０】
0005594469.tif 000031